(57)【特許請求の範囲】
【請求項１】
タッチスクリーンと指紋認識部とを備える電子デバイス上で実装される通知処理方法であって、
ロック画面を前記タッチスクリーン上に表示する段階であって、前記ロック画面は、通知および指紋ロック解除アイコンを含み、前記通知は、前記ロック画面上の第１の領域に表示され、前記指紋ロック解除アイコンは、前記ロック画面上の第２の領域に表示される、段階と、
前記電子デバイスが前記タッチスクリーン上のタッチイベントを検出する段階であって、前記タッチイベントは、前記タッチスクリーン上の第１のタッチ位置と前記タッチスクリーン上の第２のタッチ位置とを含み、前記第１のタッチ位置は、前記第１の領域に対応しており、前記第２のタッチ位置は、前記第２の領域に対応している、段階と、
前記タッチイベントに応答して、前記電子デバイスが、前記第２のタッチ位置における指紋を収集および検証する段階と、
前記電子デバイスが、指紋検証が成功した後に画面をロック解除し、前記通知に対応するアプリケーションのグラフィカルユーザインタフェースを表示する段階と
を備え、
前記ロック画面は、プロンプトボックスをさらに含み、前記プロンプトボックスは、ロック解除関連プロンプト情報を前記ロック画面上に表示するために用いられ、前記プロンプトボックスは、前記第２の領域に表示され、
前記タッチイベントに応答して、前記電子デバイスは、前記プロンプトボックスを目立つように表示し、前記ロック解除関連プロンプト情報を変更する、
方法。
【請求項２】
前記通知が前記ロック画面上の第１の領域に表示されることは、具体的には、
受信した前記通知が、前記第２の領域に結び付けられた通知である指定の通知であるかどうかを前記電子デバイスが判断し、
前記通知は指定の通知ではない、と判断した場合、前記電子デバイスが前記通知を前記第１の領域に表示すること
を含む、
請求項１に記載の方法。
【請求項３】
前記指定の通知が、最も高い優先度を有する通知である、
請求項２に記載の方法。
【請求項４】
前記指定の通知は、指定のアプリケーションに対応する通知である、
請求項２に記載の方法。
【請求項５】
前記指定の通知は、アプリケーションにおける指定の連絡先に対応する通知である、
請求項２に記載の方法。
【請求項６】
前記第２の領域は、前記ロック画面上の固定表示領域である、
請求項１に記載の方法。
【請求項７】
前記指紋認識部は、前記第２のタッチ位置に配置され、前記指紋認識部は、前記タッチスクリーンに統合されている、
請求項１に記載の方法。
【請求項８】
前記タッチイベントに応答して、前記電子デバイスは、前記通知または前記指紋ロック解除アイコンを目立つように表示する、
請求項１に記載の方法。
【請求項９】
前記指紋ロック解除アイコンが目立つように表示されることは、具体的には、前記電子デバイスが、前記通知の優先順位に従って異なる度合いで、前記指紋ロック解除アイコンを目立つように表示することである、
請求項８に記載の方法。
【請求項１０】
タッチスクリーンと指紋認識部とを備える電子デバイス上で実装される通知処理方法であって、
ロック画面を前記タッチスクリーン上に表示する段階と、
新しい通知を受信する段階と、
前記新しい通知が、前記ロック画面上の第２の領域に結び付けられた通知である指定の通知であるかどうかを判断する段階と、
前記新しい通知が指定の通知である場合、前記新しい通知を前記ロック画面上の前記第２の領域に表示し、または、前記新しい通知が指定の通知ではない場合、前記新しい通知を前記ロック画面上の第１の領域に表示する段階であって、前記第１の領域および前記第２の領域は、前記ロック画面上の２つの異なる表示領域である、段階と
を備え、
前記第２の領域は、前記指紋認識部の位置に対応し、
前記新しい通知が前記第２の領域に表示された場合、前記方法は、
前記タッチスクリーン上のタッチイベントを検出する段階であって、前記タッチイベントのタッチ位置は、前記第２の領域に対応する、段階と、
前記タッチイベントに応答して、前記タッチ位置における指紋を収集および検証する段階と、
指紋検証が成功した後に画面をロック解除し、前記新しい通知に対応するアプリケーションのグラフィカルユーザインタフェースを表示する段階と
をさらに備える、
方法。
【請求項１１】
前記新しい通知が前記第１の領域に表示された場合、前記方法は、
前記タッチスクリーン上の第１のタッチイベントを検出する段階と、
前記第１のタッチイベントに応答して、指紋ロック解除アイコンまたはプロンプトボックスを前記第２の領域に表示する段階と
をさらに備える、請求項１０に記載の方法。
【請求項１２】
前記タッチスクリーン上の第２のタッチイベントを検出する段階であって、前記第２のタッチイベントは、前記タッチスクリーン上の第１のタッチ位置および第２のタッチ位置を含み、前記第１のタッチ位置は、前記第１の領域に対応しており、前記第２のタッチ位置は、前記第２の領域に対応している、段階と、
前記第２のタッチイベントに応答して、前記第２のタッチ位置における指紋を収集および検証する段階と、
前記電子デバイスが、指紋検証が成功した後に画面をロック解除する段階と、
前記新しい通知に対応するアプリケーションのグラフィカルユーザインタフェースを表示する段階と
をさらに備える、請求項１１に記載の方法。
【請求項１３】
新しい通知を受信する前記段階の前に、
前記指定の通知と前記第２の領域との間の結び付き関係を設定する段階であって、前記指定の通知は、指定のアプリケーションに固有の通知またはアプリケーションにおける指定の連絡先に固有の通知である、段階
をさらに備える、請求項１０に記載の方法。
【請求項１４】
前記指定の通知は、ＳＭＳ関連通知、またはＳＭＳアプリケーションにおける指定の連絡先に固有の通知である、
請求項１３に記載の方法。
【請求項１５】
通知を処理するための電子デバイスであって、
１または複数のプロセッサと、タッチスクリーンと、指紋認識部と、メモリと、複数のアプリケーションと、１または複数のプログラムと
を備え、
前記１または複数のプログラムは、前記メモリに格納され、前記１または複数のプロセッサにより実行されるように構成され、
前記１または複数のプログラムは、命令を含み、
前記命令は、
ロック画面を前記タッチスクリーン上に表示することと、
新しい通知を受信することと、
前記新しい通知が、前記ロック画面上の第２の領域に結び付けられた通知である指定の通知であるかどうかを判断することと、
前記新しい通知が指定の通知である場合、前記新しい通知を前記ロック画面上の前記第２の領域に表示し、または、前記新しい通知が指定の通知ではない場合、前記新しい通知を前記ロック画面上の第１の領域に表示することと
を行うために用いられ、
前記第１の領域および前記第２の領域は、前記ロック画面上の２つの異なる表示領域であり、
前記第２の領域は、前記指紋認識部の位置に対応し、
前記新しい通知が前記第２の領域に表示された場合、前記命令はさらに、
前記タッチスクリーン上のタッチイベントを検出することであって、前記タッチイベントのタッチ位置は、前記第２の領域に対応する、検出することと、
前記タッチイベントに応答して、前記タッチ位置における指紋を収集および検証することと、
指紋検証が成功した後に画面をロック解除し、前記新しい通知に対応するアプリケーションのグラフィカルユーザインタフェースを表示することと
を行うために用いられる、
電子デバイス。
【請求項１６】
前記新しい通知が前記第１の領域に表示された場合、前記命令はさらに、
前記タッチスクリーン上の第２のタッチイベントを検出することであって、前記第２のタッチイベントは、前記タッチスクリーン上の第１のタッチ位置および第２のタッチ位置を含み、前記第１のタッチ位置は、前記第１の領域に対応しており、前記第２のタッチ位置は、前記第２の領域に対応している、検出することと、
前記第２のタッチイベントに応答して、前記第２のタッチ位置における指紋を収集および検証することと、
前記電子デバイスが、指紋検証が成功した後に画面をロック解除し、前記新しい通知に対応するアプリケーションのグラフィカルユーザインタフェースを表示することと
を行うために用いられる、
請求項１５に記載の電子デバイス。
【請求項１７】
前記命令はさらに、
新しい通知を前記受信する前に、前記指定の通知と前記第２の領域との間の結び付き関係を設定することであって、前記指定の通知は、指定のアプリケーションに固有の通知またはアプリケーションにおける指定の連絡先に固有の通知である、設定すること
を行うために用いられる、
請求項１５または１６に記載の電子デバイス。
【請求項１８】
前記指定の通知は、ＳＭＳ関連通知、またはＳＭＳアプリケーションにおける指定の連絡先に固有の通知である、
請求項１６または１７に記載の電子デバイス。
【請求項１９】
命令を含むコンピュータ可読記憶媒体であって、
前記命令がコンピュータ上で実行された場合、前記コンピュータは、請求項１から１４のいずれか一項に記載の方法を実行するよう有効にされる、
コンピュータ可読記憶媒体。
【請求項２０】
請求項１から１４のいずれか一項に記載の方法をコンピュータに実行させるためのプログラム。
【発明の詳細な説明】
【技術分野】
【０００１】
本願の実施形態は、ヒューマンマシンインタラクションの分野に関し、特に、通知処理方法および電子デバイスに関する。
【背景技術】
【０００２】
近年、生体的特徴に基づく本人認証技術としての指紋認識技術が、様々な電子デバイス（例えば、携帯電話およびタブレットコンピュータ）に広く適用されている。指紋認識の具体的な実装プロセスは、電子デバイス上の指紋センサが、ユーザのタッチ操作を検出した後にユーザの指紋を収集し、収集した指紋が予め記憶された指紋と一致していると判断された場合、対応する操作が実行されるというものである。例えば、ユーザが携帯電話をロック解除する必要がある場合、携帯電話は、複雑なロック解除パスワードを入力する必要なく、単純なタッチ操作を直接実行することにより、正常にロック解除され得る。
【０００３】
従来技術では、電子デバイスがロック画面モードで新しい通知（例えば、新しいＳＭＳ関連通知）を受信した場合、ユーザは、指紋ロック解除を実行して電子デバイスのメイン画面に入り、次に、関連するアプリケーションアイコンを見つけ、アイコンをタップしてアプリケーションを開始し、最後に、アプリケーションの関連するグラフィカルユーザインタフェースを見つけて通知の具体的な内容を見る必要がある。電子デバイスとユーザとの間の前述のインタラクション解決手段は、非常に複雑なので、電子デバイスの使用効率を大幅に下げてしまうことが分かり得る。
【発明の概要】
【０００４】
前述の技術的課題を解決するために、本願の実施形態は、複数の通知処理方法および電子デバイスを提供する。これにより、電子デバイスのヒューマンマシンインタラクション能力が大幅に改善され、電子デバイスの処理効率が改善され、ユーザ操作段階が簡略化され、さらに、ユーザエクスペリエンスが改善される。
【０００５】
第１の態様によれば、本願の実施形態は、タッチスクリーンと指紋認識部とを備える電子デバイス上で実装され得る通知処理方法を提供する。
方法は、具体的には、
ロック画面をタッチスクリーン上に表示する段階であって、ロック画面は、通知および指紋ロック解除アイコンを含み、通知は、ロック画面上の第１の領域に表示され、指紋ロック解除アイコンは、ロック画面上の第２の領域に表示される、段階と、
電子デバイスがタッチスクリーン上のタッチイベントを検出する段階であって、タッチイベントは、タッチスクリーン上の第１のタッチ位置とタッチスクリーン上の第２のタッチ位置とを含み、第１のタッチ位置は、第１の領域に対応しており、第２のタッチ位置は、第２の領域に対応している段階と、
タッチイベントに応答して、電子デバイスが、第２のタッチ位置における指紋を収集および検証する段階と、
電子デバイスが、指紋検証が成功した後に画面をロック解除し、通知に対応するアプリケーションのグラフィカルユーザインタフェースを表示する段階と
を備える。
【０００６】
前述の実施形態において、ロック画面上に表示された通知に対応するアプリケーションは、迅速に開始され得、ユーザは、面倒な操作を実行する必要がない。これにより、電子デバイスの処理効率が大幅に改善され、ユーザ操作の段階が簡略化され、ユーザエクスペリエンスがさらに改善される。
【０００７】
いくつかの可能な実装において、通知がロック画面上の第１の領域に表示されることは、具体的には、受信した通知が、第２の領域に結び付けられた通知である指定の通知であるかどうかを電子デバイスが判断し、通知は指定の通知ではない、と判断した場合、電子デバイスが通知を第１の領域に表示することを含み得る。ユーザが関心のある指定の通知は、指定の領域（例えば、第２の領域）に表示される。これにより、ユーザが最新のメッセージをリアルタイムで迅速に取得し得ることが保証され得る。当該通知が、ユーザが関心のある指定の通知ではない場合、当該通知は、指定の領域には表示されない。
【０００８】
いくつかの可能な実装において、指定の通知は、最も高い優先度を有する通知であり得るか、指定のアプリケーションに対応する通知であり得るか、またはアプリケーションにおける指定の連絡先に対応する通知であり得る。ユーザは、指定の通知を判断するために用いられる具体的な方式を設定し得る。
【０００９】
いくつかの可能な実装において、第２の領域は、ロック画面上の固定表示領域である。タッチスクリーン上の、第２の領域に対応する位置は、指紋認識部の位置であり得る。ロック画面上の第２の領域は、実際には、タッチスクリーン上の指紋認識部の位置と重なる。これにより、ユーザは、通知を選択した後に、指紋ロック解除を迅速に実行することになる。
【００１０】
いくつかの可能な実装において、指紋認識部は、第２のタッチ位置に配置され、指紋認識部は、タッチスクリーンに統合される。
【００１１】
いくつかの可能な実装において、タッチイベントに応答して、電子デバイスは、通知を目立つように表示するか、または指紋ロック解除アイコンを目立つように表示する。このように、ユーザは、どの通知が開かれるのかを直感的に分かり得る。
【００１２】
いくつかの可能な実装において、通知が目立つように表示されることは、具体的には、電子デバイスが、通知の優先順位に従って異なる度合いで、通知を目立つように表示することである。異なる優先順位の通知は、異なる度合いで目立つように表示される。このように、ユーザは、どの通知が重要で、どの通知が重要でないかを直感的に分かり得る。
【００１３】
いくつかの可能な実装において、ロック画面は、プロンプトボックスをさらに含み、プロンプトボックスは、ロック解除関連プロンプト情報をロック画面上に表示するために用いられ、プロンプトボックスは、第２の領域に表示される。指紋ロック解除アイコンとの組み合わせで、プロンプトボックスはさらに、次の操作をどのように実行するかについてユーザをプロンプトおよび誘導し得る。これにより、ユーザエクスペリエンスが改善される。
【００１４】
いくつかの可能な実装において、通知は、ＳＭＳ関連通知、ＷｅＣｈａｔ（登録商標）関連通知または電子メール関連通知であり得るか、または、ロック画面は、代替的に、ロック画面壁紙、クイックスタートカメラアイコンおよび日時をさらに含み得るか、または、第２の領域は、固定サイズの表示領域であり得ると共に、ロック画面上の部分的な表示領域であるか、または、タッチイベントは、ユーザの指を用いてタッチスクリーンをわずかにタッチするかまたは押して、予め定められた時間だけ静止状態を保ち、次に、タッチスクリーンとの接触を維持しながら、第１のタッチ位置から第２のタッチ位置へと動くことであり得るか、または、指紋認識部は、タッチスクリーンの下部に配置され、または、指定の通知は、ＳＭＳ関連通知、またはＳＭＳアプリケーションにおける指定の連絡先に固有の通知であるか、または、第１の表示領域のサイズは、表示された第２の表示領域のものと同じであり、もしくは、第１の表示領域のサイズは、第２の表示領域のもの未満であり、または、目立つように表示することは、ズームインモードで表示することである。
【００１５】
第２の態様によれば、本願の実施形態は、タッチスクリーンと指紋認識部とを備える電子デバイス上で実装され得る通知処理方法を提供する。
方法は、
ロック画面をタッチスクリーン上に表示する段階と、
新しい通知を受信する段階と、
通知が、ロック画面上の第２の領域に結び付けられた通知である指定の通知であるかどうかを判断する段階と、
通知が指定の通知である場合、通知をロック画面上の第２の領域に表示し、または、通知が指定の通知ではない場合、通知をロック画面上の第１の領域に表示する段階であって、第１の領域および第２の領域は、ロック画面上の２つの異なる表示領域である、段階と
を備え得る。
【００１６】
本願の本実施形態における技術的解決手段によれば、ユーザが関心のある通知は、目立つ表示領域（例えば、第２の領域）に表示され得、ユーザが関心のない通知は、別の目立たない表示領域（例えば、第１の領域）に表示される。これにより、電子デバイスのヒューマンマシンインタラクション能力が改善され、ユーザエクスペリエンスが改善される。
【００１７】
いくつかの可能な実装において、当該通知が第１の領域に表示された場合（すなわち、当該通知が指定の通知ではない場合）、方法は、タッチスクリーン上の第１のタッチイベントを検出する段階と、第１のタッチイベントに応答して、画面をどのようにロック解除するかについてユーザにさらに命令すべく、指紋ロック解除アイコンまたはプロンプトボックスを第２の領域に表示する段階とをさらに備え得る。
【００１８】
いくつかの可能な実装において、方法は、
タッチスクリーン上の第２のタッチイベントを検出する段階であって、第２のタッチイベントは、タッチスクリーン上の第１のタッチ位置および第２のタッチ位置を含み得、第１のタッチ位置は、第１の領域に対応し得、第２のタッチ位置は、第２の領域に対応し得る、段階と、
第２のタッチイベントに応答して、電子デバイスが、第２のタッチ位置における指紋を収集および検証する段階と、
電子デバイスが、指紋検証が成功した後に画面をロック解除する段階と、
通知に対応するアプリケーションのグラフィカルユーザインタフェースを表示する段階と
をさらに備え得る。本実施形態における技術的解決手段によれば、ユーザは、画面をロック解除した場合、通知に対応するアプリケーションを開始し得る。これにより、ユーザ操作が簡略化され、電子デバイスの効率が改善される。
【００１９】
いくつかの可能な実装において、新しい通知を受信する段階の前に、方法は、指定の通知と第２の領域との間の結び付き関係を設定する段階であって、指定の通知は、指定のアプリケーションに固有の通知またはアプリケーションにおける指定の連絡先に固有の通知であり得る、段階をさらに備え得る。具体的には、指定の通知は、代替的に、ＳＭＳ関連通知、またはＳＭＳアプリケーションにおける指定の連絡先に固有の通知であり得る。電子デバイスは、どのタイプの通知が第２の領域に表示され得るかを設定するためのユーザ入力をデフォルトで設定し得るか、または受信し得る。このように、第２の領域に表示される通知は、よりフレキシブルである。
【００２０】
第３の態様によれば、本願の実施形態は、通知を処理するための電子デバイスをさらに提供する。電子デバイスは、１または複数のプロセッサと、タッチスクリーンと、指紋認識部と、メモリと、複数のアプリケーションと、１または複数のプログラムとを含む。１または複数のプログラムは、メモリに格納され、１または複数のプロセッサにより実行されるように構成される。
１または複数のプログラムは、
ロック画面上の第１の領域に表示される通知と、ロック画面上の第２の領域に表示される指紋ロック解除アイコンとを含み得るロック画面をタッチスクリーン上に表示し、
電子デバイスが、タッチスクリーン上の、第１の領域に対応している第１のタッチ位置と、第２の領域に対応している、タッチスクリーン上の第２のタッチ位置とを含む、タッチスクリーン上のタッチイベントを検出し、
タッチイベントに応答して、電子デバイスが第２のタッチ位置における指紋を収集および検証し、
指紋検証が成功した後に、電子デバイスが画面をロック解除し、通知に対応するアプリケーションのグラフィカルユーザインタフェースを表示する
ために用いられる命令を含む。
【００２１】
第４の態様によれば、本願の実施形態は、通知を処理するための電子デバイスをさらに提供する。
電子デバイスは、
１または複数のプロセッサと、タッチスクリーンと、指紋認識部と、メモリと、複数のアプリケーションと、１または複数のプログラムと
を備え、
１または複数のプログラムは、メモリに格納され、１または複数のプロセッサにより実行されるように構成され、
１または複数のプログラムは、命令を含み、
命令は、
ロック画面をタッチスクリーン上に表示し、
新しい通知を受信し、
通知が、ロック画面上の第２の領域に結び付けられた通知である指定の通知であるかどうかを判断し、
通知が指定の通知である場合、通知をロック画面上の第２の領域に表示し、または、通知が指定の通知ではない場合、通知をロック画面上の第１の領域に表示する
ために用いられ得、
第１の領域および第２の領域は、ロック画面上の２つの異なる表示領域である。
【００２２】
本願の本実施形態における技術的解決手段によれば、ユーザが関心のある通知は、目立つ表示領域（例えば、第２の領域）に表示され得、ユーザが関心のない通知は、別の目立たない表示領域（例えば、第１の領域）に表示される。これにより、電子デバイスのヒューマンマシンインタラクション能力が改善され、ユーザエクスペリエンスが改善される。
【００２３】
いくつかの可能な実装において、当該通知が第１の領域に表示された場合（すなわち、当該通知が指定の通知ではない場合）、命令はさらに、タッチスクリーン上の第１のタッチイベントを検出し、第１のタッチイベントに応答して、画面をどのようにロック解除するかについてユーザにさらに命令すべく、指紋ロック解除アイコンまたはプロンプトボックスを第２の領域に表示するために用いられ得る。
【００２４】
いくつかの可能な実装において、命令はさらに、
タッチスクリーン上の第２のタッチイベントを検出することであって、第２のタッチイベントは、タッチスクリーン上の第１のタッチ位置および第２のタッチ位置を含み得、第１のタッチ位置は、第１の領域に対応し得、第２のタッチ位置は、第２の領域に対応し得る、検出することと、
第２のタッチイベントに応答して、電子デバイスが、第２のタッチ位置における指紋を収集および検証することと、
電子デバイスが、指紋検証が成功した後に画面をロック解除し、通知に対応するアプリケーションのグラフィカルユーザインタフェースを表示することと
を行うために用いられ得る。本実施形態における技術的解決手段によれば、ユーザは、画面をロック解除した場合、通知に対応するアプリケーションを開始し得る。これにより、ユーザ操作が簡略化され、電子デバイスの効率が改善される。
【００２５】
いくつかの可能な実装において、新しい通知が受信される前に、命令はさらに、指定の通知と第２の領域との間の結び付き関係を設定することであって、指定の通知は、指定のアプリケーションに固有の通知またはアプリケーションにおける指定の連絡先に固有の通知であり得る、設定することを行うために用いられ得る。具体的には、指定の通知は、代替的に、ＳＭＳ関連通知、またはＳＭＳアプリケーションにおける指定の連絡先に固有の通知であり得る。電子デバイスは、どのタイプの通知が第２の領域に表示され得るかを設定するためのユーザ入力をデフォルトで設定し得るか、または受信し得る。このように、第２の領域に表示される通知は、よりフレキシブルである。
【００２６】
第５の態様によれば、本願の実施形態は、表示画面と、指紋認識部が配置されたタッチ感応面とを有し得るタッチスクリーンを備える電子デバイス上で実装され得る通知処理方法を提供する。
方法は、具体的には、
ロック画面を表示画面上に表示する段階であって、ロック画面は、通知およびプロンプトボックスを含み、プロンプトボックスは、画面のロック解除に関連するプロンプト情報を表示して、ロック解除を実行するようユーザを誘導するために用いられる、段階と、
通知を表示画面上の第１の領域に表示し、プロンプトボックスを表示画面上の第２の領域に表示する段階と、
電子デバイスが、タッチ感応面上のタッチイベントを検出する段階であって、タッチイベントは、第１のタッチ位置および終了位置を含み、開始位置は、第１の領域内であり、終了位置は、指紋認識部が配置されたタッチ感応面上の位置であり、具体的には、電子デバイスのベゼル内であるが、表示画面内ではない、段階と、
タッチイベントに応答して、電子デバイスが終了位置における指紋を収集および検証する段階と、
指紋検証が成功した後に電子デバイスが画面をロック解除し、通知に対応するアプリケーションのグラフィカルユーザインタフェースを表示する段階と
を備え得る。
【００２７】
いくつかの可能な実装において、第２の領域は、タッチスクリーン上の、指紋認識部により近い表示領域であり得る。これにより、ユーザは、片手を用いてロック解除操作を実行し得る。
【００２８】
第６の態様によれば、本願の実施形態は、指紋認識部が配置されたタッチスクリーンを備える電子デバイス上で実装され得る通知処理方法を提供する。
方法は、具体的には、
通知と指紋ロック解除アイコンとを含むロック画面をタッチスクリーン上に表示する段階と、
通知をタッチスクリーンの第１の領域に表示し、指紋ロック解除アイコンを、指紋認識部が配置された、タッチスクリーンの第２の領域に表示する段階と、
電子デバイスが、第２の領域において実行された、タッチスクリーン上のタッチイベントを検出する段階であって、タッチイベントは、具体的には、ユーザが、タッチスクリーンをわずかにタッチするかまたは押し、予め定められた時間だけ静止状態を保つことであり得る、段階と、
タッチイベントに応答して、電子デバイスが、第２の領域における指紋を収集および検証する段階と、
指紋検証が成功した後に電子デバイスが画面をロック解除し、通知に対応するアプリケーションのグラフィカルユーザインタフェースを表示する段階と
を備え得る。
【００２９】
第２の態様の技術的解決手段によれば、ユーザは、単純なジェスチャを実行して画面をロック解除し、通知に対応するアプリケーションのＧＵＩを開き得る。これにより、操作が簡略化され、電子デバイスの効率が改善され、さらに、ユーザエクスペリエンスが改善される。
【００３０】
いくつかの可能な実装において、プロンプトボックスがさらに第２の領域に表示され得る。ロック解除を実行するようユーザを誘導すべく、プロンプトボックスは、画面のロック解除に関連するプロンプト情報を表示するために用いられる。これにより、ユーザエクスペリエンスが改善される。
【００３１】
いくつかの可能な実装において、タッチイベントに応答して、通知は、アニメーションの形式で第１の領域から第２の領域へと動かされ得る。これにより、ユーザは、通知が開かれることをより直感的に知覚し得る。
【００３２】
他の可能な実装において、複数の通知、すなわち、少なくとも２つの通知が存在し得る。
【００３３】
少なくとも２つの通知が存在する場合、指紋検証が成功した後に電子デバイスが画面をロック解除する段階と、当該通知に対応するアプリケーションのグラフィカルユーザインタフェースを表示する段階とは、具体的には、電子デバイスが複数の通知の優先順位を判断する段階と、指紋検証が成功した後に電子デバイスが画面をロック解除し、最も高い優先度を有する通知に対応するアプリケーションのグラフィカルユーザインタフェースをタッチスクリーン上に表示する段階とを含み得る。この解決手段によれば、電子デバイスは、ユーザが見ることを容易にすべく、重要な通知の具体的な情報をリアルタイムで迅速に表示し得る。
【００３４】
第７の態様によれば、本願の実施形態は、コンピュータ可読記憶媒体をさらに提供する。コンピュータ可読記憶媒体は、命令を格納する。当該命令がコンピュータ上で実行された場合、上述の態様における方法を実行するようコンピュータが有効にされる。
【００３５】
第８の態様によれば、本願の実施形態は、命令を含むコンピュータプログラム製品をさらに提供する。コンピュータプログラム製品がコンピュータ上で動作した場合、コンピュータは、上述の態様における方法を実行するよう有効にされる。
【００３６】
本願における技術的特徴、技術的解決手段、有益な効果または同様の説明は、全ての特徴および利点が任意の個々の実施形態に実装され得ることを示唆していないことが理解されるべきである。反対に、特徴または有益な効果の説明は、少なくとも１つの実施形態が、特定の技術的特徴、技術的解決手段または技術効果を含むことを意味していることが理解され得る。従って、本明細書における技術的特徴、技術的解決手段または有益な効果は、必ずしも同じ実施形態に固有のものではない。これらの実施形態において説明される技術的特徴、技術的解決手段または有益な効果はさらに、任意の適切な方式で組み合わされ得る。当業者であれば、特定の実施形態が、これらの実施形態の１または複数の特定の技術的特徴、技術的解決手段または有益な効果を必要とすることなく実装され得ることを理解する。他の実施形態において、追加の技術的特徴および有益な効果がさらに、全ての実施形態を反映していない特定の実施形態において識別され得る。
【図面の簡単な説明】
【００３７】
【図１】いくつかの実施形態における携帯電話１００のハードウェアの概略構造図である。
【図２Ａ】いくつかの実施形態における携帯電話の異なる外観の概略図である。
【図２Ｂ】いくつかの実施形態における携帯電話の異なる外観の概略図である。
【図２Ｃ】いくつかの実施形態における携帯電話の異なる外観の概略図である。
【図３Ａ】いくつかの実施形態における電子デバイス３００に表示されるグラフィカルユーザインタフェースの概略図である。
【図３Ｂ】いくつかの実施形態における電子デバイス３００に表示されるグラフィカルユーザインタフェースの概略図である。
【図４Ａ】いくつかの実施形態における電子デバイス３００に表示されるいくつかのグラフィカルユーザインタフェースの概略図である。
【図４Ｂ】いくつかの実施形態における電子デバイス３００に表示されるいくつかのグラフィカルユーザインタフェースの概略図である。
【図４Ｃ】いくつかの実施形態における電子デバイス３００に表示されるいくつかのグラフィカルユーザインタフェースの概略図である。
【図４Ｄ】いくつかの実施形態における電子デバイス３００に表示されるいくつかのグラフィカルユーザインタフェースの概略図である。
【図４Ｅ】いくつかの実施形態における電子デバイス３００に表示されるいくつかのグラフィカルユーザインタフェースの概略図である。
【図４Ｆ】いくつかの実施形態における電子デバイス３００に表示されるいくつかのグラフィカルユーザインタフェースの概略図である。
【図４Ｇ】いくつかの実施形態における電子デバイス３００に表示されるいくつかのグラフィカルユーザインタフェースの概略図である。
【図４Ｈ】いくつかの実施形態における電子デバイス３００に表示されるいくつかのグラフィカルユーザインタフェースの概略図である。
【図４Ｉ】いくつかの実施形態における電子デバイス３００に表示されるいくつかのグラフィカルユーザインタフェースの概略図である。
【図４Ｊ】いくつかの実施形態における電子デバイス３００に表示されるいくつかのグラフィカルユーザインタフェースの概略図である。
【図４Ｋ】いくつかの実施形態における電子デバイス３００に表示されるいくつかのグラフィカルユーザインタフェースの概略図である。
【図５Ａ】他の実施形態における電子デバイス３００に表示される他のグラフィカルユーザインタフェースの概略図である。
【図５Ｂ】他の実施形態における電子デバイス３００に表示される他のグラフィカルユーザインタフェースの概略図である。
【図５Ｃ】他の実施形態における電子デバイス３００に表示される他のグラフィカルユーザインタフェースの概略図である。
【図５Ｄ】他の実施形態における電子デバイス３００に表示される他のグラフィカルユーザインタフェースの概略図である。
【図５Ｅ】他の実施形態における電子デバイス３００に表示される他のグラフィカルユーザインタフェースの概略図である。
【図５Ｆ】他の実施形態における電子デバイス３００に表示される他のグラフィカルユーザインタフェースの概略図である。
【図５Ｇ】他の実施形態における電子デバイス３００に表示される他のグラフィカルユーザインタフェースの概略図である。
【図６Ａ】さらに他の実施形態における電子デバイス３００に表示されるさらに他のグラフィカルユーザインタフェースの概略図である。
【図６Ｂ】さらに他の実施形態における電子デバイス３００に表示されるさらに他のグラフィカルユーザインタフェースの概略図である。
【図６Ｃ】さらに他の実施形態における電子デバイス３００に表示されるさらに他のグラフィカルユーザインタフェースの概略図である。
【図６Ｄ】さらに他の実施形態における電子デバイス３００に表示されるさらに他のグラフィカルユーザインタフェースの概略図である。
【図６Ｅ】さらに他の実施形態における電子デバイス３００に表示されるさらに他のグラフィカルユーザインタフェースの概略図である。
【図６Ｆ】さらに他の実施形態における電子デバイス３００に表示されるさらに他のグラフィカルユーザインタフェースの概略図である。
【図７Ａ】さらに他の実施形態における電子デバイス３００に表示されるさらに他のグラフィカルユーザインタフェースの概略図である。
【図７Ｂ】さらに他の実施形態における電子デバイス３００に表示されるさらに他のグラフィカルユーザインタフェースの概略図である。
【図８】いくつかの実施形態における方法の概略フローチャートである。
【図９】他の実施形態における方法の概略フローチャートである。
【図１０Ａ】さらに他の実施形態における電子デバイスに表示されるいくつかのグラフィカルユーザインタフェースの概略図である。
【図１０Ｂ】さらに他の実施形態における電子デバイスに表示されるいくつかのグラフィカルユーザインタフェースの概略図である。
【図１０Ｃ】さらに他の実施形態における電子デバイスに表示されるいくつかのグラフィカルユーザインタフェースの概略図である。
【図１０Ｄ】さらに他の実施形態における電子デバイスに表示されるいくつかのグラフィカルユーザインタフェースの概略図である。
【図１１Ａ】さらに他の実施形態における電子デバイスに表示されるさらに他のグラフィカルユーザインタフェースの概略図である。
【図１１Ｂ】さらに他の実施形態における電子デバイスに表示されるさらに他のグラフィカルユーザインタフェースの概略図である。
【図１１Ｃ】さらに他の実施形態における電子デバイスに表示されるさらに他のグラフィカルユーザインタフェースの概略図である。
【図１１Ｄ】さらに他の実施形態における電子デバイスに表示されるさらに他のグラフィカルユーザインタフェースの概略図である。
【図１１Ｅ】さらに他の実施形態における電子デバイスに表示されるさらに他のグラフィカルユーザインタフェースの概略図である。
【図１１Ｆ】さらに他の実施形態における電子デバイスに表示されるさらに他のグラフィカルユーザインタフェースの概略図である。
【図１２】さらに他の実施形態にける方法の概略フローチャートである。
【図１３】いくつかの実施形態における電子デバイスの概略構造図である。
【図１４】いくつかの実施形態における電話をかける方法の概略フローチャートである。
【図１５】いくつかの実施形態における着信の応答／拒否の方法の概略フローチャートである。
【図１６Ａ】他の実施形態における電子デバイスに表示されるいくつかのグラフィカルユーザインタフェースの概略図である。
【図１６Ｂ】他の実施形態における電子デバイスに表示されるいくつかのグラフィカルユーザインタフェースの概略図である。
【図１６Ｃ】他の実施形態における電子デバイスに表示されるいくつかのグラフィカルユーザインタフェースの概略図である。
【発明を実施するための形態】
【００３８】
本願の実施形態において用いられる用語は、指定される実施形態を説明することを目的としているに過ぎず、本願を限定することを意図していない。本明細書および本願の添付の特許請求の範囲において用いられる単数形の「１」、「ａ」「ｔｈｅ」、「前述の」、「この」および「もの」という用語は、文脈上明確に別段の定めがない限り複数形も含むことを意図している。本願において用いられる「および／または」という用語は、１または複数の結び付けられて列挙された項目のいずれかまたは全ての可能な組み合わせを示すと共に、それらを含むことも理解されるべきである。
【００３９】
以下では、電子デバイスと、そのような電子デバイスに適用されるグラフィカルユーザインタフェース（以下では略して、ＧＵＩ）と、そのような電子デバイスの関連する使用プロセスと、の実施形態を説明する。本願のいくつかの実施形態において、電子デバイスは、携帯情報端末および／または音楽プレーヤの機能などの他の機能をさらに含むポータブル電子デバイス、例えば、携帯電話、タブレットコンピュータ、または無線通信機能を有するウェアラブル電子デバイス（例えば、スマートウォッチ）であり得る。ポータブル電子デバイスの実施形態の例は、限定されるものではないが、ｉＯＳ（登録商標）、Ａｎｄｒｏｉｄ（登録商標）またはＭｉｃｒｏｓｏｆｔ（登録商標）を動作させるポータブル電子デバイスを含む。ポータブル電子デバイスは、代替的に、別のポータブル電子デバイス、例えば、タッチ感応面（例えば、タッチパネル）を有するラップトップコンピュータ（Ｌａｐｔｏｐ）であり得る。こ本願の他の実施形態において、電子デバイスは、代替的に、ポータブル電子デバイスではなく、タッチ感応面（例えば、タッチパネル）を有するデスクトップコンピュータであり得ることがさらに理解されるべきである。
【００４０】
図１に示されるように、本願の実施形態における電子デバイスは、携帯電話１００であり得る。以下では、携帯電話１００を例として用いて、本実施形態を詳細に説明する。この図における携帯電話１００は、電子デバイスの例に過ぎず、携帯電話１００は、この図に示されるものより多いかまたはより少ないコンポーネント、２以上のコンポーネントの組み合わせ、または異なるように配置されたコンポーネントを含み得ることが理解されるべきである。この図に示される様々なコンポーネントは、１または複数の信号処理回路および／または特定用途向け集積回路を含むハードウェア、ソフトウェア、またはハードウェアとソフトウェアとの組み合わせを用いて実装され得る。
【００４１】
図１に示されるように、携帯電話１００は、具体的には、プロセッサ１０１、無線周波数（ＲＦ）回路１０２、メモリ１０３、タッチスクリーン１０４、Ｂｌｕｅｔｏｏｔｈ（登録商標）装置１０５、１または複数のセンサ１０６、Ｗｉ−Ｆｉ装置１０７、位置決定装置１０８、音声回路１０９、周辺インタフェース１１０および電力システム１１１などのコンポーネントを含み得る。これらのコンポーネントは、１または複数の通信バスまたは信号バス（図１には示されない）を用いて通信を実行し得る。当業者であれば、図１に示されるハードウェア構造は、携帯電話１００に対する限定を構成せず、携帯電話１００は、この図に示されるものより多いかまたはより少ないコンポーネント、いくつかのコンポーネントの組み合わせ、または異なるように配置されたコンポーネントを含み得ることを理解し得る。以下では、図１を参照して、携帯電話１００の各コンポーネントを詳細に説明する。
【００４２】
プロセッサ１０１は、携帯電話１００のコントロールセンターであり、様々なインタフェースおよび配線を用いて、携帯電話１００の様々なコンポーネントに接続する。プロセッサ１０１は、メモリ１０３に格納されたアプリケーション（以下では略して、Ａｐｐ）を動作させるか、または実行すること、およびメモリ１０３に格納されたデータおよび命令を呼び出すことにより、携帯電話１００の様々な機能を実行し、データを処理する。いくつかの実施形態において、プロセッサ１０１は、１または複数の処理ユニットを含み得る。代替的に、アプリケーションプロセッサおよびモデムプロセッサが、プロセッサ１０１に統合され得る。アプリケーションプロセッサは主に、オペレーティングシステム、ユーザインタフェース、アプリケーション等を処理し、モデムプロセッサは主に、無線通信を処理する。代替的に、モデムプロセッサは、プロセッサ１０１に統合され得ないことが理解され得る。例えば、プロセッサ１０１は、Ｈｕａｗｅｉ  Ｔｅｃｈｎｏｌｏｇｉｅｓ  Ｃｏ．，  Ｌｔｄ．により製造されたＫｉｒｉｎ  ９６０チップであり得る。本願のいくつかの実施形態において、プロセッサ１０１は、収集された指紋を検証するように構成された指紋検証チップをさらに含み得る。
【００４３】
無線周波数回路１０２は、情報の受信または送信中または電話中に無線信号を受信または送信するように構成され得る。具体的には、無線周波数回路１０２は、基地局のダウンリンクデータを受信し、次に、ダウンリンクデータを処理のためにプロセッサ１０１へ送信し、さらに、関連するアップリンクデータを基地局へ送信し得る。無線周波数回路は通常、限定されるものではないが、アンテナ、少なくとも１つの増幅器、送受信機、カプラ、低雑音増幅器またはデュプレクサを含む。加えて、無線周波数回路１０２はさらに、無線通信を通じて別のデバイスと通信し得る。任意の通信規格または通信プロトコルが、無線通信中に用いられ得る。これらの通信規格または通信プロトコルは、限定されるものではないが、移動通信用グローバルシステム、汎用パケット無線サービス、符号分割多元接続、広帯域符号分割多元接続、ロングタームエボリューション、電子メールまたはショートメッセージングサービスを含む。
【００４４】
メモリ１０３は、アプリケーションおよびデータを格納するように構成される。プロセッサ１０１は、メモリ１０３に格納されたアプリケーションおよびデータを動作させることにより、携帯電話１００の様々な機能を実行し、データを処理する。メモリ１０３は主に、プログラム記憶領域およびデータ記憶領域を含む。プログラム記憶領域は、少なくとも１つの機能（例えば、音声再生機能または画像再生機能）により必要されるオペレーティングシステムおよびアプリケーションを格納し得る。データ記憶領域は、携帯電話１００の使用中に作成されるデータ（例えば、音声データまたは電話帳）を格納し得る。加えて、メモリ１０３は、高速ランダムアクセスメモリを含み得ると共に、磁気ディスクストレージデバイス、フラッシュメモリデバイスまたは別の揮発性ソリッドステートストレージデバイスなどの不揮発性メモリを含み得る。メモリ１０３は、様々なオペレーティングシステム、例えば、Ａｐｐｌｅにより開発されたｉＯＳ（登録商標）オペレーティングシステムまたはＧｏｏｇｌｅにより開発されたＡｎｄｒｏｉｄ（登録商標）オペレーティングシステムを格納し得る。
【００４５】
タッチスクリーン１０４は、タッチ感応面１０４−１およびディスプレイ１０４−２を含み得る。タッチ感応面１０４−１（例えば、タッチパネル）は、タッチ感応面１０４−１上で、またはタッチ感応面１０４−１の近くでユーザにより実行されるタッチイベント（指、またはスタイラスなどの任意の適切な対象物を用いて、タッチ感応面１０４−１上で、またはタッチ感応面１０４−１の近くで携帯電話１００のユーザにより実行される操作など）を収集し、収集したタッチ情報を、別のコンポーネント、例えば、プロセッサ１０１へ送信し得る。タッチ感応面１０４−１の近くでユーザにより実行されるタッチイベントは、浮動タッチと称され得る。浮動タッチは、ユーザが、タッチパネルに直接接触して対象（例えば、アイコン）を選択、移動またはドラッグすることを必要とせず、電子デバイスへ近づいて所望の機能を実行する必要があるに過ぎないことを意味し得る。浮動タッチのアプリケーションシナリオにおいて、「タッチ」および「接触」などの用語は、タッチスクリーンと直接接触することではなく、タッチスクリーンの近くまたは近傍と接触することを示唆する。浮動タッチをサポートし得るタッチ感応面１０４−１は、静電容量方式、赤外線感知方式または超音波方式等で実装され得る。タッチ感応面１０４−１は、タッチ検出装置およびタッチコントローラという２つのコンポーネントを含み得る。タッチ検出装置は、ユーザのタッチの向きを検出し、タッチ操作により生じた信号を検出し、当該信号をタッチコントローラへ転送する。タッチコントローラは、タッチ検出装置からタッチ情報を受信し、当該タッチ情報を接触座標に変換し、当該接触座標をプロセッサ１０１へ送信する。タッチコントローラはさらに、プロセッサ１０１により送信される命令を受信および実行し得る。加えて、タッチ感応面１０４−１は、抵抗式、静電容量式、赤外線式および表面弾性波式などの複数のタイプで実装され得る。ディスプレイ（表示画面とも称される）１０４−２は、ユーザにより入力される情報またはユーザのために提供される情報と、携帯電話１００の様々なメニューとを表示するように構成され得る。ディスプレイ１０４−２は、液晶ディスプレイまたは有機発光ダイオードなどの形態で配置され得る。タッチ感応面１０４−１は、ディスプレイ１０４−２を包含し得る。タッチ感応面１０４−１上で、またはタッチ感応面１０４−１の近くでタッチイベントを検出した後に、タッチ感応面１０４−１は、当該タッチイベントのタイプを判断するために当該タッチイベントをプロセッサ１０１へ転送し、次に、プロセッサ１０１は、当該タッチイベントのタイプに基づいて、対応する視覚的出力をディスプレイ１０４−２上に提供し得る。図１において、タッチ感応面１０４−１および表示画面１０４−２は、携帯電話１００の入出力機能を実装するための２つの独立したコンポーネントとして用いられる。しかしながら、いくつかの実施形態において、タッチ感応面１０４−１および表示画面１０４−２は、携帯電話１００の入出力機能を実装するために統合され得る。タッチスクリーン１０４は、複数の材料層を積み重ねることにより形成されることが理解され得る。本願の本実施形態では、タッチ感応面（層）および表示画面（層）のみが表示され、他の層は、記録されない。加えて、本願の他の実施形態において、タッチ感応面１０４−１がディスプレイ１０４−２を覆い得ること、およびタッチ感応面１０４−１のサイズが表示画面１０４−２のサイズより大きいことにより、表示画面１０４−２は、タッチ感応面１０４−１により完全に覆われ得るか、または、タッチ感応面１０４−１は、フルパネル形式の携帯電話１００の前面上に構成され得る、すなわち、携帯電話１００の前面へのユーザの全てのタッチが、携帯電話により感知され得る。このように、携帯電話の前面への全てのタッチ体験が実現され得る。他の実施形態において、タッチ感応面１０４−１は、フルパネル形式の携帯電話１００の前面に配置され、表示画面１０４−２も、フルパネル形式の携帯電話１００の前面に配置され得る。このように、ベゼルレス構造が、携帯電話の前面に実装され得る。
【００４６】
本願の実施形態において、携帯電話１００は、指紋認識機能をさらに有し得る。例えば、指紋認識部１１２が、携帯電話１００の背面（例えば、背面カメラの下）に配置されるか、または、携帯電話１００の前面（例えば、タッチスクリーン１０４の下）に配置される。図２Ａに示されるように、指紋認識部１１２は、携帯電話１００のタッチスクリーン１０４の下に配置される。指紋認識部１１２は、１つのタッチイベント中に指紋を１回収集し得る。図２Ｂに示されるように、カメラを配置するための領域２０１が、携帯電話１００の背面に存在する。収集される画像の質を高めるために、２つのカメラが、領域２０１に配置される。指紋認識部１１２は、領域２０１の下に配置され、１つのタッチイベント中に指紋を１回収集し得る。
【００４７】
加えて、指紋認識機能は、代替的に、指紋認識部１１２をタッチスクリーン１０４上に配置することにより実装され得る。すなわち、指紋認識部１１２は、携帯電話１００の指紋認識機能を実装するために、タッチスクリーン１０４に統合され得る。この場合、指紋認識部１１２は、タッチスクリーン１０４上に配置され得るか、タッチスクリーン１０４の一部分であり得るか、または、別の方式でタッチスクリーン１０４上に配置され得る。図２Ｃに示されるように、４つの指紋認識部１１２−１、１１２−２、１１２−３および１１２−４が、タッチスクリーン１０４の４つの異なる位置に配置される。タッチスクリーン１０４は、複数のタッチイベントを同時に取得し得るが、複数のタッチイベントのうちの１つのみの１つの指紋を収集し得るか、または全てのタッチイベントの全ての指紋を同時に収集し得る。他の実施形態において、４つの指紋認識部の位置は、タッチスクリーン１０４の下部であり得、特に、指紋認識部１１２は、ユーザが携帯電話１００を保持している場合に親指により到達可能である、タッチスクリーン１０４の複数の領域に配置され得る。これにより、ユーザによる携帯電話上での片手操作が容易になり得る。
【００４８】
さらに、指紋認識部１１２は、代替的に、フルパネル指紋認識部として実装され得る。従って、タッチスクリーン１０４は、任意の位置での指紋収集をサポートするパネルとみなされ得る。指紋認識部１１２は、収集した指紋をプロセッサ１０１へ送信し得る。これにより、プロセッサ１０１は、当該指紋を処理（例えば、指紋検証）する。本願の本実施形態における指紋認識部１１２の主なコンポーネントは、指紋センサである。指紋センサは、任意のタイプの感知技術を用い得る。当該感知技術は、限定されるものではないが、光技術、静電容量技術、圧電技術または音波感知技術を含む。
【００４９】
本願の本実施形態において、指紋は、タッチスクリーン１０４上の固定位置で収集され得るか、タッチスクリーン１０４上の任意の位置で収集され得るか、または、複数のタッチイベントが、タッチスクリーン１０４上で同時に取得され得、指紋認識部１１２は、複数のタッチイベントのうちの１つのみの１つの指紋を収集し得るか、または、全てのタッチイベントの全ての指紋を同時に収集し得る。本願の本実施形態における指紋認識部をタッチスクリーンに統合する具体的な技術については、従来技術におけるいくつかの具体的な技術的解決手段を参照されたい。詳細は、ここでは説明されない。
【００５０】
本願のいくつかの実施形態において、タッチスクリーン上での指紋収集中の電力消費を下げるために、携帯電話１００は、指定された状況において、指紋認識部１１２の電源をオンまたはオフにし得る。例えば、携帯電話１００は、タッチスクリーン１０４上の指定の位置でユーザにより実行されたタッチイベントを検出した場合、指紋認識部の電源をオンにすることにより、指紋を認識するようにし得る。しかしながら、タッチスクリーン１０４の指定の位置でユーザにより実行されたタッチイベントが検出されなかった場合、携帯電話１００は、指紋認識部の電源をオンにしない、すなわち、携帯電話１００は、指紋認識機能を無効にする。タッチイベントは、ユーザが、予め定められた閾値に圧力が到達するまでタッチスクリーンを押し、次に、指紋認識部等の電源をオンにすることであり得る。本願の他の実施形態において、携帯電話１００は、指紋認識関連の切り替え制御要素を設定メニューに表示し得る。これにより、ユーザは、指紋認識機能を手動で有効または無効にする。本願のさらに他の実施形態において、携帯電話１００は、代替的に、指定された条件に基づいて、指紋認識機能を有効または無効にし得る。例えば、携帯電話は、異なる地理的位置に基づいて、指紋認識機能を有効または無効にし得る。携帯電話が自宅に位置している場合、指紋認識機能は、無効にされる。なぜなら、自宅は、非常にプライベートかつ安全な場所であり、指紋検証が省略され得るからである。携帯電話がコーヒーショップなどの公的な場所に位置している場合、携帯電話は、指紋認識機能を有効にする。なぜなら、公的な場所は、自宅よりもプライベートでも安全でもなく、携帯電話は、画面ロック解除などの指紋検証を実行する必要があるからである。
【００５１】
携帯電話１００は、携帯電話１００との間でデータを交換するように構成されたＢｌｕｅｔｏｏｔｈ（登録商標）装置１０５と、別の短距離電子デバイス（例えば、携帯電話またはスマートウォッチ）とをさらに含み得る。本願の本実施形態におけるＢｌｕｅｔｏｏｔｈ（登録商標）装置は、集積回路、Ｂｌｕｅｔｏｏｔｈ（登録商標）チップ等であり得る。
【００５２】
携帯電話１００は、光センサまたはモーションセンサなどの少なくとも１つのセンサ１０６をさらに含み得る。具体的には、光センサは、周辺光センサおよび近接センサを含み得る。周辺光センサは、周辺光の明るさに従って、タッチスクリーン１０４のディスプレイの輝度を調整し得る。近接センサは、携帯電話１００が耳の近くに動かされた場合、ディスプレイの電源をオフにし得る。１つのタイプのモーションセンサとして、加速度センサは、全ての方向（通常は３軸）における加速度の大きさを検出し得ると共に、静止している場合に重力の大きさおよび方向を検出し得る。加速度センサは、携帯電話の姿勢アプリケーション（横長と縦長との間での画面切り替え、関連するゲーム、磁力計の姿勢較正など）を識別し、振動に関連する機能（歩数計およびノッキングなど）等を識別するように構成され得る。携帯電話１００用に構成され得るジャイロスコープ、気圧計、湿度計、温度計および赤外線センサなどの他のセンサについては、詳細は、ここでは説明されない。
【００５３】
Ｗｉ−Ｆｉ装置１０７は、Ｗｉ−Ｆｉ関連の規格プロトコルに適合するネットワークアクセスを携帯電話１００用に提供するように構成される。携帯電話１００は、Ｗｉ−Ｆｉ装置１０７を用いてＷｉ−Ｆｉアクセスポイントにアクセスして、ユーザによる電子メールの受信または送信、ウェブページの閲覧、ストリーミングメディアへのアクセス等を支援し得る。Ｗｉ−Ｆｉ装置は、無線ブロードバンドインターネットアクセスをユーザに提供する。他の実施形態において、Ｗｉ−Ｆｉ装置１０７は、代替的に、Ｗｉ−Ｆｉ無線アクセスポイントとして用いられ得ると共に、別の電子デバイス用にＷｉ−Ｆｉネットワークアクセスを提供し得る。
【００５４】
位置決定装置１０８は、携帯電話１００に地理的位置を提供するように構成される。ことが理解され得る。位置決定装置１０８は、具体的には、位置決定システム、例えば、全地球測位システム（ＧＰＳ）、ＢｅｉＤｏｕ衛星ナビゲーションシステムまたはロシアのグロナスの受信機であり得る。位置決定装置１０８は、前述の位置決定システムにより送信される地理的位置を受信した後に、当該情報を処理のためにプロセッサ１０１へ送信するか、または当該情報を当該情報の保存のためにメモリ１０３へ送信する。さらに他の実施形態において、位置決定装置１０８は、アシスト型全地球測位システム（ＡＧＰ）の受信機であり得る。ＡＧＰは、指定された支援でＧＰＳの位置決定が実行される動作モードをサポートする。ＡＧＰは、携帯電話１００の位置をより高速で決定すべく、ＧＰＳ衛星信号と共に基地局の信号を用い得る。ＡＧＰＳシステムにおいて、位置決定装置１０８は、アシスト型位置決定サーバ（例えば、携帯電話位置決定サーバ）と通信して、位置決定の支援を取得し得る。ＡＧＰＳシステムは、範囲決定および位置決定のサービスの完了において位置決定装置１０８を支援するための支援サーバとしての役割を果たす。この場合、アシスト型位置決定サーバは、無線通信ネットワークを用いて携帯電話１００などの電子デバイスの位置決定装置１０８（具体的には、ＧＰＳ受信機）と通信して、位置決定の支援を提供する。さらに他の実施形態において、位置決定装置１０８は、代替的に、Ｗｉ−Ｆｉアクセスポイントに基づく位置決定技術であり得る。各Ｗｉ−Ｆｉアクセスポイントは、世界的に固有のＭＡＣアドレスを有し、電子デバイスは、Ｗｉ−Ｆｉが有効化された場合に周囲のＷｉ−Ｆｉアクセスポイントのブロードキャスト信号をスキャンおよび収集し得る。従って、Ｗｉ−ＦｉアクセスポイントによるＭＡＣアドレスブロードキャストが取得され得る。電子デバイスは、無線通信ネットワークを用いて、Ｗｉ−Ｆｉアクセスポイントを識別し得るデータ（例えば、ＭＡＣアドレス）を位置サーバへ送信し、位置サーバは、各Ｗｉ−Ｆｉアクセスポイントの地理的位置を検出し、Ｗｉ−Ｆｉのブロードキャスト信号の強度を参照して電子デバイスの地理的位置を計算し、電子デバイスの地理的位置を電子デバイスの位置決定装置１０８へ送信する。
【００５５】
音声回路１０９、ラウドスピーカ１１３およびマイク１１４は、ユーザと携帯電話１００との間の音声インタフェースを提供し得る。音声回路１０９は、受信した音声データを変換することにより取得される電気信号をラウドスピーカ１１３へ送信し得る。ラウドスピーカ１１３は、当該電気信号を出力のために音声信号に変換する。加えて、マイク１１４は、収集した音声信号を電気信号に変換し、音声回路１０９は、電気信号を受信して、当該電気信号を音声データに変換し、次に、当該音声データをＲＦ回路１０２に出力する。これにより、当該音声データは、例えば別の携帯電話へ送信されるか、または、さらなる処理のためにメモリ１０３に出力される。
【００５６】
周辺インタフェース１１０は、外部入力／出力デバイス用の様々なインタフェース（例えば、キーボード、マウス、外部接続ディスプレイ、外部メモリまたは加入者識別モジュールカード）を提供するように構成される。例えば、マウスへの接続のためにユニバーサルシリアルバス（ＵＳＢ）インタフェースが用いられるか、または、通信事業者により提供される加入者識別モジュール（ＳＩＭ）カードへの接続のために加入者識別モジュールカードのスロット上の金属接点が用いられる。周辺インタフェース１１０は、外部入力／出力周辺デバイスをプロセッサ１０１およびメモリ１０３に連結するために用いられ得る。
【００５７】
携帯電話１００は、様々なコンポーネントに電力を供給する電源装置１１１（例えば、バッテリおよび電力管理チップ）をさらに含み得る。電源装置１１１を用いて充電管理、放電管理および電力消費管理などの機能を実装すべく、バッテリは、電力管理チップを用いて、プロセッサ１０１に論理的に接続され得る。
【００５８】
図１には示されないが、携帯電話１００は、カメラ（前向きカメラおよび／または背面カメラ）、フラッシュライト、マイクロプロジェクション装置、近距離無線通信（ＮＦＣ）装置等をさらに含み得る。詳細は、ここでは説明されない。
【００５９】
以下の実施形態の全ては、前述の構造を有する携帯電話１００により実装され得る。
【００６０】
本願の実施形態において、図３Ａに示されるように、画面がロックされたグラフィカルユーザインタフェース（以下では略して、ロック画面）の例が、電子デバイス３００（例えば、携帯電話１００）のタッチスクリーン１０４上に表示されている。ロック画面は、電子デバイス３００のタッチスクリーン１０４上に表示されるグラフィカルユーザインタフェース（ＧＵＩ）であり得る。電子デバイス３００のオペレーティングシステムのメイン画面は、指定された操作をユーザがＧＵＩ上で実行した後にのみ表示され得る。これにより、オペレーティングシステムのデータセキュリティが効果的に保護される。指定された操作は、以下の操作、つまり、ユーザが、タッチスクリーン上でスライドジェスチャを実行した後に、パスワードを入力する必要があること、指紋認識を実行する必要があること、顔認識を実行する必要があること、虹彩認識等を実行する必要があることのうちの少なくとも１つであり得る。
【００６１】
ロック画面は、複数のインタフェース要素、例えば、ロック画面壁紙３０１、指紋ロック解除アイコン３０２、プロンプトボックス３０３、クイックスタートカメラアイコン３０４および日時３０５を含み得る。ロック画面壁紙３０１は、表示用に定期的に自動的に更新され得る。指紋ロック解除アイコン３０２は、以下の情報をユーザにプロンプトするように構成される。つまり、指紋検証がアイコン３０２の表示領域において実行されて画面がロック解除され得、指紋ロック解除アイコン３０２がいくつかのインタフェース要素を用いて、画面をどのようにロック解除すべきかをユーザに対して視覚的にプロンプトし得る。図３Ａに示されるように、指紋ロック解除アイコン３０２は、指紋形状のアイコン、別の制御要素等として表示され得る。指紋ロック解除アイコン３０２は、プロンプトボックス３０３におけるプロンプト情報を参照して画面をロック解除するようユーザをガイドし命令し得る。タッチスクリーン上の指紋ロック解除アイコン３０２の表示領域は、代替的に、指紋認識部が配置される位置であり得る。すなわち、指紋ロック解除アイコン３０２の領域は、指紋ロック解除領域とみなされ得る。従って、指紋ロック解除アイコン３０２は、実際には、指紋収集領域でもある。ユーザの指（代替的に、スタイラス等）が指紋ロック解除アイコン３０２にタッチし得る。これにより、電子デバイス３００は、指紋を収集および検証し、画面を迅速にロック解除する。本願の他の実施形態において、代替的に、指紋ロック解除アイコン３０２および／またはプロンプトボックス３０３は、最初はタッチスクリーン上に表示されないことがある。しかしながら、電子デバイス３００は、ユーザの入力を受信した後に、当該入力に応答して、指紋ロック解除アイコン３０２および／またはプロンプトボックス３０３ロック画面に表示する。ユーザの入力は、ユーザの指を用いてホームボタン３０６を押す操作であり得、タッチスクリーン１０４上でユーザの指を用いて実行されるタッチイベント等であり得る。加えて、ユーザは、連続した試行錯誤による学習を通じて、タッチスクリーン上の特定の位置が指紋ロック解除領域であることも徐々に分かり得る。
【００６２】
指紋ロック解除アイコン３０２の表示領域は、ユーザの親指が到達可能である、タッチスクリーン１０４の円弧形状の領域（図には示されない）であり得る。このことでユーザによる片手操作がより容易になることにより、ユーザエクスペリエンスが改善され得る。プロンプトボックス３０３は、画面のロック解除に関連するいくつかのプロンプト情報をタッチスクリーン１０４上に表示して、ユーザにプロンプトを提供するように構成される。例えば、プロンプト情報は、「この領域であなたの指紋を認識して画面をロック解除してください」であり得る。プロンプトボックス３０３におけるプロンプト情報は、タッチスクリーン１０４上でユーザにより実行される異なる操作に基づいて表示される異なる情報であり得る。詳細な説明は、以下の実施形態において提供される。図１におけるコンポーネントに加え、電子デバイス３００は、ホームボタン３０６、前向きカメラ３０７等をさらに含み得る。ホームボタン３０６は、迅速にメイン画面に戻る、画面キャプチャを実行する等の操作を実行するように構成され得る。前向きカメラ３０７は、虹彩認識を実行するように構成され得る。これにより、ユーザは、タッチスクリーンの迅速なロック解除等をする。本願の他の実施形態において、ロック画面は、代替的に、日時３０５およびクイックスタートカメラアイコン３０４などの前述のインタフェース要素のいくつかを含まないことがある。
【００６３】
電子デバイス３００は、指紋ロック解除アイコン３０２上でユーザの指を用いて実行されたタッチイベントを検出する。タッチイベントは、具体的には、ユーザの指を用いてタッチスクリーンにわずかにタッチすること等であり得る。タッチイベントに応答して、電子デバイス３００は、指紋ロック解除アイコン３０２の表示領域に対応するタッチスクリーン上の指紋認識部１１２を用いて、タッチイベントにおける指紋を収集し、当該指紋を検証（例えば、当該指紋を予め記憶された有効な指紋と比較）し得る。指紋検証が成功した場合、電子デバイス３００は、画面をロック解除し、図３Ｂに示されるＧＵＩを表示する。ＧＵＩは、電子デバイス３００のメイン画面であり得る。ＧＵＩは、通信事業者名、現在登録されているネットワークの名前、時間、バッテリレベル等を表示するステータスバー３０８を含み得る。ＧＵＩは、時間、日付、領域の天気等を表示するように構成された時間および天気ウィジェット３０９をさらに含む。ＧＵＩは、折り畳み可能なナビゲーションバー３１０をさらに含み、デスクトップインジケータ３１１をさらに含み得る。デスクトップインジケータ３１１は、様々なアプリケーションアイコン、ショートカットおよびウィジェットを表示するように構成された３つの画面が電子デバイス３００上に存在することを示す。現在表示されている画面がメイン画面であり、他のメイン画面は、ユーザの指を用いてタッチスクリーン１０４上で実行されるタッチ操作に応答して表示され得る。
【００６４】
本願の他の実施形態において、電子デバイス３００は、指紋ロック解除アイコン３０２上でユーザにより実行されたタッチイベントを検出する。タッチイベントに応答して、電子デバイス３００は、指紋認識部の電源をオンにするか、または指紋認識部をスリープモードから起動させ得る。この場合、電子デバイス３００の指紋認識機能が有効にされる。電子デバイス３００はさらに、指紋認識部を用いてタッチイベントにおける指紋を収集し、当該指紋を検証（例えば、当該指紋を予め記憶された有効な指紋と比較）する。タッチイベントは、予め定められた閾値に圧力が到達するまで、ユーザの指を用いてタッチスクリーンを押すこと、ユーザの指を用いてタッチスクリーンにわずかにタッチし、予め定められた時間だけ静止状態を保つこと等であり得る。この場合、指紋認識部が、電源がオンにされて適切な時点で動くことにより、電子デバイス３００の電力が節約され得る。
【００６５】
電子デバイス３００が新しい通知（Ｎｏｔｉｆｉｃａｔｉｏｎ）を受信した場合、当該通知は、図４Ａに示されるように、ロック画面上に表示され得る。この図では、図３Ａに表示されているインタフェース要素に加え、２つの通知の例がさらに表示されている。つまり、「Ｓａｎｌｉａｎ  Ｂｏｏｋｓｔｏｒｅ」という連絡先により送信されたこのメッセージが、未読のＳＭＳメッセージであり、当該通知の内容が、「星の王子さまの新版が限定量で入荷された」ということである旨を通知４０１が示し、未読のＷｅＣｈａｔ（登録商標）メッセージが存在することを通知４０２が示している。当然ながら、他の実施形態において、代替的に、ロック画面上にただ１つの通知が存在し得る。当業者であれば、本願の全ての実施形態における通知（Ｎｏｔｉｆｉｃａｔｉｏｎ）は、Ａｎｄｒｏｉｄ（登録商標）オープンソースオペレーティングシステムにおける用語であってよいことが分かり得ることが理解され得る。当業者であれば、異なるタイプの通知、例えば、ステータスバー通知、浮動通知またはロック画面通知をタッチスクリーン上に表示すべく、当該システムの通知固有の開発ガイドに基づいて、通知を作成し得る。通知は、代替的に、ｉＯＳオペレーティングシステムの通知等であり得る。各通知は、対応するアプリケーションまたはウィジェット（Ｗｉｄｇｅｔ）等に対応している。すなわち、ユーザが通知を操作した（例えば、通知にわずかにタッチしたか、または通知を押した）場合、当該通知は、対応するアプリケーションまたは別のユーザインタフェースへジャンプする。例えば、ユーザが通知をタップした場合、アプリケーションのユーザインタフェースが開かれ得ると共に、当該通知に関連する具体的な情報がユーザインタフェース上に表示される。別の例では、ユーザが通知をタップした場合、電子デバイスは、アラームを停止するか、またはＳＭＳメッセージを直ちに返信し得る。以下の実施形態では、別段の定めがない限り、通知は、ロック画面通知であり得る。当然ながら、他の実施形態において、通知は、ステータスバー通知、浮動通知またはロック画面通知のうちのいずれか１つまたは複数であり得る。本願のいくつかの実施形態において、電子デバイスは、新しい通知を受信した後にのみ、指紋認識機能を有効にし得る（すなわち、指紋認識部が、電源をオンにされて動作を開始するか、またはスリープモードから起動される）。
【００６６】
図４Ａにおいて、通知、指紋ロック解除アイコン３０２およびプロンプトボックス３０３は、ロック画面上の異なる表示領域に位置している。ユーザは、新しく受信した通知４０１および４０２に関心がない場合、指を用いて、ロック画面の指紋ロック解除アイコン３０２にタッチし得る。電子デバイス３００は、指紋ロック解除アイコン３０２の表示領域に対応するタッチスクリーン上の指紋認識部１１２を用いて指紋を収集し、当該指紋を予め記憶された有効な指紋と比較することにより検証を実行し得る。検証が成功した場合、電子デバイス３００は、画面をロック解除し、図３Ｂに示されるＧＵＩを表示する。
【００６７】
本願のいくつかの実施形態において、電子デバイス３００は、ユーザの（代替的にスタイラス等である）指４０３を用いて通知４０１に対して実行された第１のタッチイベントを検出し、第１のタッチイベントに応答して、プロンプトボックス３０３または指紋ロック解除アイコン３０２を目立つように表示して、選択された通知４０１に対してさらなる操作（例えば、当該通知に対応するａｐｐを開始すること）が実行され得ることをユーザにリマインドし得る。特定の目立つように表示する方式は、特別な注意を払うようユーザにプロンプトするために用いられる任意の表示方式またはプロンプト方式であり得る。図４Ｂに示されるように、図４Ａにおけるものと比較してより大きいサイズの指紋ロック解除アイコン３０２が表示される。すなわち、指紋ロック解除アイコン３０２は、ズームインモードで表示される。他の実施形態において、プロンプトボックス３０３は、ズームインモードでも表示され得る。加えて、目立つように表示することは、指紋ロック解除アイコン３０２またはプロンプトボックス３０３を、指定された頻度で、点滅方式で表示することでもあり得る。このように、ユーザは、より適切な方式でリマインドされ得る。本願の他の実施形態において、第１のタッチイベントに応答して、プロンプトボックス３０３が目立つように表示される（例えば、ズームインモードで表示される）場合、プロンプトボックス３０３に表示されるプロンプト情報も変更され得る。図４Ｃに示されるように、プロンプト情報は、「この領域をスライドして画面をロック解除し、このＳＭＳメッセージを見てください」に変更され得る。第１のタッチイベントが通知４０２に固有のものである場合、図４Ｃに表示されているプロンプト情報は、「この領域をスライドして画面をロック解除し、このＷｅＣｈａｔ（登録商標）メッセージを見てください」に変更され得ることが理解され得る。すなわち、電子デバイス３００は、ユーザの指４０３が指している異なるタイプの通知に応じて、異なるプロンプト情報をプロンプトボックス３０３に表示し得る。このように、ユーザは、ユーザが関心のある通知をより正確にプロンプトされ、正しい操作を実行するようインテリジェントに誘導される。本願の他の実施形態において、電子デバイスは、ユーザにより通知４０１に対して実行された第１のタッチイベントを検出した後にのみ、指紋認識機能を有効にし得る（すなわち、指紋認識部が電源をオンにされて動作を開始するか、またはスリープモードから起動される）。このように、電子デバイスの電力がさらに節約され得る。
【００６８】
他の実施形態において、ユーザを現在の操作に集中させるために、当該操作とは無関係の、図４Ａに表示されている他のインタフェース要素は、非表示にされる（すなわち、ロック画面上に表示されない）か、または、ガウスぼかし処理が実行された後に背景として表示され得る。図４Ｃに示されるように、元々は図４Ｂに表示されている日時３０５およびクイックスタートカメラアイコン３０４は、非表示にされるか、または背景として表示され得る。加えて、図４Ａにおけるものと比較して、選択されていない通知４０２は、ズームアウトモードで表示され得るか、ロック画面上にもはや表示されないか、または、ガウスぼかし処理が実行された後に背景として表示される。
【００６９】
本願の他の実施形態において、第１のタッチイベントに応答して、電子デバイス３００は、選択された通知４０１の優先順位に従って異なる度合いで、プロンプトボックス３０３または指紋ロック解除アイコン３０２を目立つように表示し（例えば、ズームインモードで表示され）得る。例えば、第１のタッチイベントに応答して、電子デバイス３００は、第１のタッチイベントに対応する通知４０１が最も低い優先順位を有する、プロンプトボックス３０３または指紋ロック解除アイコン３０２が、最も小さいズームイン係数に基づいてズームインモードで表示され得る、または、プロンプトボックス３０３または指紋ロック解除アイコン３０２がズームインモード（すなわち、前に表示したサイズと同じサイズ）では表示されない、と判断する。別の例では、第１のタッチイベントに応答して、電子デバイス３００は、第１のタッチイベントに対応する通知４０１が最も高い優先度を有し、プロンプトボックス３０３または指紋ロック解除アイコン３０２が、最も大きいズームイン係数に基づいてズームインモードで表示される、と判断する。本実施形態において、優先順位は、重要な通知、共通の通知、重要でない通知等を区別するために用いられ得る。優先順位は、電子デバイスにおけるデフォルト値であり得るか、またはユーザにより定義され得る。例えば、ユーザは、ＳＭＳ関連通知の優先順位を共通に設定するか、またはＷｅＣｈａｔ（登録商標）関連通知の優先順位を重要に設定し得る。加えて、通知の優先順位は、Ａｎｄｒｏｉｄ（登録商標）オペレーティングシステムにおける関連する機能を参照して設定され得る。
【００７０】
本願の他の実施形態において、第１のタッチイベントに応答して、電子デバイス３００はさらに、選択された特定の通知についてユーザにリマインドすべく、選択された通知４０１を目立つように表示し得る。目立つように表示する方式は、前述の実施形態における方式と同じまたは同様であり得る。図４Ｄに示されるように、ユーザの指４０３が通知４０１にタッチした後、通知４０１は、ズームインモードで表示される。しかしながら、通知４０２はタッチされていないので、通知４０２は、依然として前と同じように表示される。
【００７１】
他の実施形態において、第１のタッチイベントに応答して、電子デバイスが通知４０１をズームインモードで表示した場合、指紋ロック解除アイコン３０２もズームインモードで表示され得、プロンプトボックス３０３におけるプロンプト情報も、「この領域をスライドして画面をロック解除し、このＳＭＳメッセージを見てください」に変更され得る。加えて、ユーザを現在の操作に集中させるために、当該操作とは無関係の、図４Ａに表示されている他のインタフェース要素は、非表示にされる（すなわち、ロック画面上に表示されない）か、または、ガウスぼかし処理が実行された後に背景として表示され得る。図４Ｅに示されるように、日時３０５およびクイックスタートカメラアイコン３０４は、非表示にされるか、または背景として表示され得、選択されていない通知４０２は、ズームアウトモードで表示される。
【００７２】
本実施形態における第１のタッチイベントは、ユーザの指４０３を用いて静止状態を予め定められた時間だけ保つことにより、タッチスクリーン１０４にわずかにタッチすることであり得るか、ユーザの指４０３を用いてタッチスクリーン１０４を押して静止状態を予め定められた時間だけ保つことであり得るか、または、ユーザの指４０３を用いてタッチスクリーン１０４にわずかにタッチし、次にタッチスクリーン１０４を押すことであり得る。前述の列挙されたジェスチャに加え、第１のタッチイベントは、代替的に、別のタイプのジェスチャであり得ることが理解され得る。本実施形態における第１のタッチイベントに対して、限定は課されない。加えて、第１のタッチイベントは、通知４０１についての選択操作として理解され得る。具体的には、電子デバイス３００は、通知４０１をさらに処理すべく、第１のタッチイベントを通じて通知４０１を選択する。
【００７３】
本願の他の実施形態において、第１のタッチイベントは、代替的に、ユーザの指を用いてタッチスクリーンを押すことであり得る。第１のタッチイベントに応答して、電子デバイス３００は、第１のタッチイベントにおける異なる圧力に基づいて異なる度合いで、指紋ロック解除アイコン３０２、プロンプトボックス３０３または選択された通知を目立つように（例えば、ズームインモードで表示され）表示し得る。例えば、第１のタッチイベントにおける圧力がより高いことは、指紋ロック解除アイコン３０２、プロンプトボックス３０３または選択された通知のための表示領域がより大きいことを示す。他の実施形態において、第１のタッチイベントにおける圧力が予め定められた閾値より大きい場合、選択された通知は、別のＧＵＩとして表示され得る。ＧＵＩにおいて、ユーザは、当該通知に対してショートカット操作（例えば、返信または削除）を実行し得る。
【００７４】
図４Ｆに示されるように、通知４０１を選択した後に、電子デバイス３００は、ユーザの指４０３を用いてタッチスクリーン１０４上で実行された第２のタッチイベント４０４を検出する。第２のタッチイベント４０４に応答して、電子デバイス３００は、選択された通知４０１を元の表示領域（例えば、図４Ｃにおける通知４０１の位置）から図４Ｆにおける表示領域へ表示のためにドラッグし得る。図４Ｆにおいて、表示効果の観点から、通知４０１の表示領域は、指紋ロック解除アイコン３０２の表示領域と部分的に重なり得る。ドラッグされた通知４０１が表示され、ユーザは、特定の開かれた通知を直感的に見得るようになる。これにより、ユーザは、さらなる操作を実行する。第２のタッチイベント４０４は、指紋ロック解除アイコン３０２の表示領域において停止し得る。その時点で、指紋ロック解除アイコン３０２の表示領域に対応する、タッチスクリーン上の指紋認識部１１２にユーザの指４０３がタッチしており、次に、指紋認識部１１２は、ユーザの指紋を収集し、収集した指紋をプロセッサ１０１へ送信する。プロセッサ１０１は、収集された指紋を検証し、収集された指紋が予め記憶された有効な指紋と一致しているかどうかを判断する。プロセッサ１０１は、収集された指紋が有効な指紋と一致している、と判断した場合、画面をロック解除し、選択された通知４０１に対応するアプリケーションの（代替的に、システム設定、ウィジェット等である）ＧＵＩが、タッチスクリーン１０４上に表示される。図４Ｇに示されるように、通知４０１の具体的な情報が当該ＧＵＩに表示される。図４Ｇでは、通知４０１の全ての具体的な情報４０５が表示され、ユーザの指４０３がアイコン４０６をタップした後に、（図３Ａに示されるように）タッチスクリーンがオフにされるか、またはロック画面に戻ることを電源アイコン４０６が示している。本願の他の実施形態において、セキュリティレベルを上げるために、前述の実施形態において指紋検証が実行された場合、前向きカメラ３０７は、顔特徴情報または虹彩情報を収集するためにも用いられ得る。電子デバイス３００は、収集した顔特徴情報を予め記憶された有効な顔特徴情報と比較し得るか、または収集した虹彩情報を予め記憶された有効な虹彩情報と比較し得る。電子デバイス３００は、指紋検証および顔特徴情報の両方の検証が成功した場合、または指紋検証および虹彩情報の両方の検証が成功した場合にのみ、画面をロック解除し、選択された通知４０１に対応するアプリケーションのＧＵＩを表示する。
【００７５】
本願のさらに他の実施形態において、第１のタッチイベントに応答して、電子デバイス３００はさらに、ユーザの指紋を収集し得る。例えば、図４Ｅに示されるように、第１のタッチイベントは、タッチスクリーン上の、通知４０１の表示領域に対応する位置にわずかにタッチすることであり得る。指紋認識部１１２が当該位置に配置される。従って、電子デバイスは、当該位置におけるユーザの指紋を収集し得る。第２のタッチイベント４０４に応答して、電子デバイス３００は、指紋を検証および収集し得る。指紋検証が成功した後に、電子デバイス３００は、画面をロック解除し、選択された通知４０１に対応するアプリケーションのＧＵＩ（代替的に、システム設定ウィジェット等である）をタッチスクリーン１０４上に表示する。本願の本実施形態において、指紋認識部１１２は、タッチスクリーン上の、通知４０１の表示領域に対応する位置に配置され、電子デバイスは、当該位置におけるユーザの指紋を収集し得、第２のタッチイベント４０４は、ユーザの指紋を検証および収集するよう電子デバイス３００をトリガするための条件である。
【００７６】
本願の他の実施形態において、図１０Ａに示されるように、最初は、指紋ロック解除アイコンがロック画面上に表示されていないことがある。図１０Ａにおけるロック画面には、通知１００１が表示されている。簡潔でセンスが良いロック画面を表示するために、指紋ロック解除アイコン等は、タッチスクリーン上に表示されない。図１０Ｂに示されるように、電子デバイスは、ユーザの指１００２を用いてタッチスクリーン上で実行された第１のタッチイベントを検出する。第１のタッチイベントに応答して、指紋ロック解除アイコン１００３がタッチスクリーンのロック画面上に表示され、プロンプトボックス１００４がさらにロック画面上に表示され得るか、または指紋ロック解除アイコン１００３またはプロンプトボックス１００４はさらに、目立つように表示され得る。図１０Ｃに示されるように、電子デバイスは、ユーザの指１００２を用いてタッチスクリーン上で実行された第２のタッチイベント１００５を検出する。第２のタッチイベント１００５は、スライドジェスチャであり得る。スライドジェスチャは、タッチスクリーンとの接触を維持しながら、ユーザの指１００２をタッチスクリーン上の第１のタッチ位置からタッチスクリーン上の第２のタッチ位置へと動かすことであり得る。第２のタッチイベント１００５に応答して、図１０Ｃに示されるように、電子デバイスは、選択された通知１００１をロック画面上の別の表示領域にドラッグし、別の表示領域に対応する第２のタッチ位置における指紋を収集する。電子デバイスは、指紋を検証し、指紋検証が成功した後に画面をロック解除し、通知１００１に対応するアプリケーションのＧＵＩを表示する。図１０Ｄに示されるように、ＧＵＩは、通知１００１の具体的な内容１００６を含む。図１０Ｄは、ＳＭＳメッセージの連絡先のダイアログＧＵＩを示す。当該ＧＵＩは、連絡先のプロファイル写真１００７、ナビゲーションバー１００８、ステータスバー１００９等をさらに含み得る。
【００７７】
図４Ａから図４Ｇにおいて説明される実施形態において、第２のタッチイベント４０４は、指紋ロック解除を実行し、通知４０１に対応するアプリケーションのＧＵＩを開くために、ユーザの指４０３を用いてタッチスクリーン１０４上で実行される。本願の他の実施形態において、前述の実施形態と同じ効果を実現するために、別の方式が代替的に用いられ得る。図４Ｈに示されるように、ロック画面上には、通知４０１、指紋ロック解除アイコン３０２およびプロンプトボックス３０３が存在する。ロック画面上の通知４０１の表示領域Ａが、指紋ロック解除アイコン３０２の表示領域Ｂと重ならないことがある。図４Ｉにおいて、電子デバイス３００は、ユーザの指４０３を用いて指紋ロック解除アイコン３０２に対して実行された第３のタッチイベントを検出する。第３のタッチイベントに応答して、図４Ｊに示されるように、電子デバイス３００は、予め定められたトラック４０７に沿って、通知４０１を表示領域Ａから表示領域へと表示のために動かし得る。指紋ロック解除アイコン３０２は、表示領域Ｂに表示される。図４Ｊにおいて、通知４０１は、表示領域Ｂへと動かされる。表示領域Ｂにおいて、表示された通知４０１は、指紋ロック解除アイコン３０２と部分的に重なり得る。表示効果の観点から、指紋ロック解除アイコン３０２は、通知４０１に表示される。他の実施形態において、通知４０１は、表示領域Ｂへと動かされた後は、もはや表示され得ない。通知４０１が予め定められたトラック４０７に沿って動かされた場合、第３のタッチイベントに応答して、電子デバイス３００は、タッチスクリーン上の、指紋ロック解除アイコン３０２の表示領域に対応する指紋認識部１１２を用いて指４０３の指紋を収集し、当該指紋を検証（例えば、収集した指紋を予め記憶された有効な指紋と比較）し得る。電子デバイス３００は、収集した指紋が有効な指紋と一致している、と判断した場合、画面をロック解除する。電子デバイス３００は、通知４０１を表示領域Ｂへと動かした後に、通知４０１に対応するアプリケーションのＧＵＩをタッチスクリーン１０４上に表示し、通知４０１の具体的な内容を表示する。本実施形態によれば、ユーザの指が指紋ロック解除アイコン３０２にタッチすることを条件として、画面がロック解除され得、当該通知の具体的な内容が見られ得る。これにより、ユーザ操作が簡略化され、電子デバイスのトランザクション処理効率が改善され、ユーザエクスペリエンスも改善される。本願の他の実施形態において、セキュリティレベルを上げるために、前述の実施形態において指紋検証が実行された場合、前向きカメラ３０７は、顔特徴情報または虹彩情報を収集するためにも用いられ得る。電子デバイス３００は、収集した顔特徴情報を予め記憶された有効な顔特徴情報と比較し得るか、または収集した虹彩情報を予め記憶された有効な虹彩情報と比較し得る。電子デバイス３００は、指紋検証および顔特徴情報の両方の検証が成功した場合、または指紋検証および虹彩情報の両方の検証が成功した場合にのみ、画面をロック解除し、通知７０３に対応するアプリケーションのＧＵＩを表示する。
【００７８】
本願の他の実施形態において、（図４Ａに示されるように）少なくとも２つの通知がロック画面上に表示された場合、ユーザ操作を簡略化するために、電子デバイス３００は、代替的に、これらの通知のうちの１つ、例えば通知４０２を、表示領域Ｂへと自動的に動かし得る（すなわち、指紋ロック解除アイコン３０２の位置が図４Ｊに表示される）。図４Ｋに示されるように、電子デバイス３００は、ユーザの指４０３を用いて指紋ロック解除アイコン３０２上で実行された第３のタッチイベントを検出する。第３のタッチイベントに応答して、電子デバイスは、指紋ロック解除アイコン３０２に最も近い具体的な通知（通知４０１または通知４０２）を判断し、通知４０２が指紋ロック解除アイコン３０２に最も近い、と判断した後に、予め定められたトラック４０８に沿って、通知４０２を表示領域Ｃから表示領域Ｂへと動かす。指紋ロック解除アイコン３０２は、表示領域Ｂに表示される。図４Ｋにおいて、表示領域Ｂに表示された通知４０２は、指紋ロック解除アイコン３０２と部分的に重なり得る。表示効果の観点から、指紋ロック解除アイコン３０２は、通知４０２に表示される。他の実施形態において、選択された通知４０２は、表示領域Ｂへと動かされた後は、もはや表示され得ない。通知４０２が予め定められたトラック４０７に沿って動かされた場合、第３のタッチイベントに応答して、電子デバイス３００は、タッチスクリーン上の、指紋ロック解除アイコン３０２の表示領域に対応する指紋認識部１１２を用いて指４０３の指紋を収集し、当該指紋を検証（例えば、収集した指紋を予め記憶された有効な指紋と比較）し得る。指紋検証が成功した場合、電子デバイス３００は、画面をロック解除し、通知４０２が位置Ｂへと動かされた後に、通知４０２に対応するアプリケーションのＧＵＩをタッチスクリーン１０４上に表示し、通知４０２の具体的な情報を表示する。本実施形態によれば、画面がロック解除され得、ユーザの指が指紋ロック解除アイコンにタッチすることを条件として、当該通知の具体的な内容が見られ得る。これにより、ユーザ操作が簡略化され、電子デバイスのトランザクション処理効率が改善され、ユーザエクスペリエンスも改善される。予め定められたトラック４０７および４０８は、電子デバイス３００により自動的に設定され得るか、またはユーザにより定義され得ることが理解され得る。
【００７９】
本願のさらに他の実施形態において、（図４Ａに示されるように）少なくとも２つの通知がロック画面上に表示された場合、ユーザ操作を簡略化するために、電子デバイス３００は、代替的に、複数の（２つの、２つより多くの、または全ての）通知を表示領域Ｂへと自動的に動かし得る（すなわち、指紋ロック解除アイコン３０２の位置が図４Ｊに表示される）。加えて、電子デバイス３００は、指紋ロック解除アイコン３０２の表示領域における指紋認識部に対してユーザの指４０３を用いて実行された第３のタッチイベントに基づいてユーザの指紋を収集し、当該指紋を検証する。指紋検証が成功した場合、電子デバイス３００は、画面をロック解除し、複数の通知に対応するアプリケーションの関連ＧＵＩを開くことにより、ユーザが複数の通知の具体的な情報を見るようにする。複数の通知は複数のアプリケーションに対応していることがあるので、複数のＧＵＩが代替的に電子デバイス３００上に表示され得る。複数のＧＵＩは、電子デバイス３００による通知の受信の時系列で表示され得るか、または、複数のＧＵＩは、当該通知の優先順位に基づいて、異なるサイズでタッチスクリーン上に表示され得る。例えば、重要な通知に対応するアプリケーションのＧＵＩのタッチスクリーン上での表示サイズは、共通の通知に対応するアプリケーションのＧＵＩより大きい表示サイズでタッチスクリーン上に表示される。
【００８０】
さらに他の実施形態において、少なくとも２つの通知がロック画面上に表示された場合、電子デバイス３００は、ユーザの指４０３を用いてタッチスクリーン１０４上で実行されたタッチイベントに基づいてユーザの指紋を収集し、ユーザの指紋を予め記憶された有効な指紋と比較する。加えて、前向きカメラ３０７はさらに、ユーザの目の移動に関する情報を取得するために用いられ得る。電子デバイス３００は、取得した目の移動に関する情報に基づいて、ユーザが現在焦点を合わせている、タッチスクリーン上の特定の通知（例えば、通知４０１）を判断し得る。この場合、電子デバイス３００は、当該通知を表示領域Ｂへと自動的に動かす（すなわち、指紋ロック解除アイコン３０２の位置が図４Ｊに表示される）。電子デバイス３００は、指紋検証が成功後に画面をロック解除し、当該通知に対応するアプリケーションのＧＵＩを開く。本実施形態において、簡略化されたユーザ操作に加え、ユーザが現在焦点を合わせている通知は、画面をロック解除して当該通知に対応するアプリケーションを開始すべく、よりインテリジェントかつより正確に判断される。これにより、ユーザエクスペリエンスが大幅に改善される。本願の他の実施形態において、セキュリティレベルを上げるために、前述の実施形態において指紋検証が実行された場合、前向きカメラ３０７は、顔特徴情報または虹彩情報を収集するためにも用いられ得る。電子デバイス３００は、収集した顔特徴情報を予め記憶された有効な顔特徴情報と比較し得るか、または収集した虹彩情報を予め記憶された有効な虹彩情報と比較し得る。電子デバイス３００は、指紋検証および顔特徴情報の両方の検証が成功した場合、または指紋検証および虹彩情報の両方の検証が成功した場合にのみ、画面をロック解除し、通知７０３に対応するアプリケーションのＧＵＩを表示する。
【００８１】
本願の他の実施形態において、電子デバイス３００が通知を表示領域Ｂへと自動的に動かした後に、当該通知を動かしたことにより生じた空白を埋めるために、ロック画面上に表示されている別の通知の位置も変わる。この場合、ロック画面上に表示される通知は、連続性を特徴とし、より美しくなる。これにより、ユーザエクスペリエンスが改善される。
【００８２】
本願のいくつかの実施形態において、電子デバイス３００は、指定の通知のみが指紋ロック解除アイコン３０２／プロンプトボックス３０３の表示領域Ｂに表示され得るように設定し得る。図５Ａに示されるように、指紋認識部１１２がタッチスクリーン１０４上の指定の位置に配置される。例えば、図５Ａに示されるように、指紋認識部１１２は、タッチスクリーン上での、ロック画面上の指定の領域Ｂに対応する位置に配置される。均一かつ簡潔な表示効果を実現するために、指紋認識部１１２は、タッチスクリーンに統合され得、ユーザには見えない形式で存在する。ロック画面上には、指紋ロック解除アイコン５０２およびプロンプトボックス５０３が指定の領域Ｂに表示され得る。加えて、ロック解除が成功し、メイン画面が開かれた場合、指紋ロック解除アイコン５０２およびプロンプトボックス５０３は、代替的に、指定の領域に表示され得る。ユーザは、モバイル決済（例えば、ＮＦＣ決済またはバーコードスキャン決済）を実行した場合、プロンプトボックス５０３により示される指紋を収集および検証して、モバイル決済を完成し得る。
【００８３】
本願のいくつかの実施形態において、電子デバイス３００は、指定されたタイプの通知のみが指定の領域Ｂに表示され得るように設定し得る。例えば、浮動通知またはロック画面通知などの通知が当該指定の領域に表示され得る。具体的には、ロック画面上で、電子デバイス３００は、指定のロック画面通知のみが指定の領域Ｂに表示され得、他のロック画面通知は指定の領域Ｂに表示され得ないように設定し得る。例えば、ＷｅＣｈａｔ（登録商標）関連通知が当該指定の領域に表示され得る。図５Ｂに示されるように、電子デバイス３００は、ＳＭＳ関連通知５０１を受信する。電子デバイス３００は、ＳＭＳ関連通知が当該指定の領域に表示され得るようには設定しない（すなわち、ＳＭＳ関連通知が指定の通知ではない）ので、ＳＭＳ関連通知は、当該指定の領域には表示され得ない。図５Ｃに示されるように、電子デバイス３００は、ＷｅＣｈａｔ（登録商標）関連通知５０４を受信する。電子デバイス３００は、ＷｅＣｈａｔ（登録商標）関連通知が当該指定の領域に表示され得るように設定する（すなわち、ＷｅＣｈａｔ（登録商標）関連通知は、指定の通知ではない）ので、通知５０４は、指定の領域Ｂに表示され得る。この場合、ロック画面上で、プロンプト情報およびプロンプトボックス５０３は、「この領域であなたの指紋を検証し、画面をロック解除してこのＷｅＣｈａｔ（登録商標）関連通知を見てください」に変更され得る。
【００８４】
本願の他の実施形態において、電子デバイス３００は、代替的に、指定の連絡先に関連する通知のみが当該指定の領域に表示され得るように設定し得る。例えば、指定の連絡先は、指定のａｐｐにおける連絡先であり得る。具体的には、指定の連絡先は、ＷｅＣｈａｔ（登録商標）の連絡先であり得る。すなわち、ＷｅＣｈａｔ（登録商標）の連絡先に関連する通知のみが当該指定の領域に表示され得る。指定の連絡先は、代替的に、電話帳における連絡先であり得る。すなわち、電話帳における連絡先に関連する通知のみが当該指定の領域に表示され得る。本願のさらに他の実施形態において、指定の連絡先は、代替的に、任意のａｐｐにおける特定の連絡先であり得る。具体的には、指定の連絡先は、星の王子さまというＷｅＣｈａｔ（登録商標）の連絡先であり得る。この場合、電子デバイスは、星の王子さまからＷｅＣｈａｔ（登録商標）関連通知を受信した後に、当該通知を当該指定の領域に表示する。指定の連絡先は、代替的に、電話帳におけるＲｏｎａｎ（Ｒｏｎａｎ）という連絡先であり得る。指定の連絡先は、代替的に、複数の連絡先であり得る。
【００８５】
本願の他の実施形態において、電話帳における連絡先についての複数の連絡方法、例えば、携帯番号、電子メールおよびインスタントメッセージが存在し得る。電子デバイスは、ユーザから入力を受信し、選択された連絡先を指定の領域と結び付け得る。当該連絡先により送信された通知が受信された場合にのみ、当該通知は、指定の領域に表示され得る。例えば、当該連絡先により電話番号を用いて送信されたＳＭＳメッセージが受信された場合、当該ＳＭＳメッセージは、指定の領域に表示され、当該連絡先により電子メールアドレスを用いて送信された電子メールが受信された場合、当該電子メールは、当該指定の領域に表示される。表示されているＳＭＳメッセージの内容の一部分、表示されている電子メール等のみが、当該指定の領域に表示され得る。
【００８６】
本願のさらに他の実施形態において、電子デバイス３００は、指定の内容に関連する通知のみが当該指定の領域に表示され得るように設定し得る。例えば、受信した通知が自動車に関連している場合、当該通知は、当該指定の領域に表示され得る。例えば、Ａｎｄｒｏｉｄ（登録商標）オペレーティングシステムにおいて、電子デバイスは、ｓｅｔＣｏｎｔｅｎｔＴｅｘｔ（）という機能に従って、通知の具体的な内容を判断し、さらに、予め設定されたキーワードに基づいて、この具体的な内容が、ユーザが関心のある指定の内容であるかどうかを判断し得る。例えば、予め設定されたキーワードは、「自動車」である。この場合、電子デバイスは、新しい通知を受信した後に、ｓｅｔＣｏｎｔｅｎｔＴｅｘｔ（）という機能に従って、当該通知のこの具体的な内容が「自動車」を含んでいるかどうかを判断し、当該キーワードが含まれている場合、受信した当該通知を当該指定の領域に表示し、そうでなければ、受信した当該通知は、当該指定の領域とは異なる別の表示領域に表示される。
【００８７】
本願の本実施形態において、図５Ａにおける指定の領域Ｂは、ユーザが知覚可能な方式で示され得る。例えば、ユーザは、タッチスクリーン上で、当該表示領域が指定の領域であることを視覚的な方式でプロンプトされ得る。例えば、矩形ボックスが指定の領域であることを示すために矩形ボックスが表示画面上に表示されるか、ユーザは、指定の領域Ｂにタッチした場合、表示領域が指定の領域であることをタッチフィードバック方式（例えば、振動）でプロンプトされるか、または、ユーザは、前述の２つの方式の両方でプロンプトされ得る。当然ながら、指定の領域Ｂは、代替的に、ユーザが知覚可能な方式で示され得る。
【００８８】
本願のいくつかの実施形態において、当該指定の領域は、ロック画面上の固定表示領域であり得る。当該表示領域は、ロック画面上の表示領域全体ではなく、位置部分であり得る。「固定」という用語は、当該指定の領域がタッチスクリーン上の固定位置にあり得ることを示し得る。「固定」という用語は、代替的に、当該指定の領域が、ロック画面上に表示される固定サイズの表示領域であることを示し得る。当該指定の領域は、ある時点でタッチスクリーン上のある位置に表示され得ると共に、別の時点でタッチスクリーン上の別の位置にも表示され得る。「固定」という用語はさらに、当該指定の領域が、ロック画面上の固定位置であると共に、ロック画面上に表示される固定サイズの表示領域であることを示し得ることが理解され得る。
【００８９】
本願の他の実施形態において、指定の通知の異なる表示内容に応じて、異なるサイズの表示領域が指定の領域Ｂに表示され得る。例えば、受信した指定の通知の表示内容が比較的長い場合、指定の領域Ｂは大きく、受信した指定の通知の表示内容が比較的短い場合、指定の領域Ｂは比較的小さい。
【００９０】
本願の他の実施形態において、指定の通知は、対応するアプリケーションのショートカット制御要素を含み得る。従って、指定の通知および指紋ロック解除アイコンは、重複方式で表示され得る。具体的には、指定のアプリケーションのショートカット制御要素と指紋ロック解除アイコンとが、重複方式で表示され得る。例えば、ショートカット制御要素は、ＷｅＣｈａｔ（登録商標）  ｒｅｄ  ｐａｃｋｅｔ読み取りボタン、Ａｌｉｐａｙ送金読み取りボタン等であり得る。この場合、指紋ロック解除アイコンと共に重複方式で表示されるのは、ＷｅＣｈａｔ（登録商標）  ｒｅｄ  ｐａｃｋｅｔ読み取りボタン、Ａｌｉｐａｙ送金読み取りボタン等であり得る。本願の本実施形態において、ＷｅＣｈａｔ（登録商標）  ｒｅｄ  ｐａｃｋｅｔは、指定された量の電子通貨を含むＷｅＣｈａｔ（登録商標）情報であり、Ｔｅｎｃｅｎｔにより開発されている。ショートカット制御要素は、代替的に、リンクであり得る。この場合、ユーザの指がリンクをタップして、指紋を通じて画面を迅速にロック解除し、当該リンクに対応するウェブサイトがブラウザを用いて開かれ、当該ウェブサイトに様々な情報が表示される。ショートカット制御要素は、代替的に、メニューであり得る。この場合、ユーザの指がメニューをタップして、指紋を通じて画面を迅速にロック解除し、メニューのサブメニューまたは項目がタッチスクリーン上に表示される。本願の本実施形態において、ショートカット制御要素は、限定されるものではないが、言及されたインタフェース要素を含むことが理解され得る。
【００９１】
以下では、特定の実施形態を用いて添付図面を参照して、本願の前述の技術的解決手段を詳細に説明する。
【００９２】
例えば、図５Ｄに示されるように、通知５０１および通知５０５がロック画面上に表示される。通知５０５は、ＷｅＣｈａｔ（登録商標）の連絡先である星の王子さまにより送信されるＷｅＣｈａｔ（登録商標）  ｒｅｄ  ｐａｃｋｅｔに固有の通知である。通知５０５は、指定の通知なので、指定の領域Ｂに表示される。図５Ｄでは、ＷｅＣｈａｔ（登録商標）関連通知５０５が指定の領域Ｂに表示されており、通知５０５および指紋ロック解除アイコン３０３は、重複方式で表示され得る。通知５０５にはｒｅｄ−ｐａｃｋｅｔ読み取りボタン５０６が表示されている。図５Ｄに示されるように、ｒｅｄ−ｐａｃｋｅｔ読み取りボタン５０６は、指紋ロック解除アイコン５０２と部分的に重なり得ると共に、指紋ロック解除アイコン５０２に表示され得る。代替的に、指紋ロック解除アイコン５０２は、ｒｅｄ−ｐａｃｋｅｔ読み取りボタン５０６に表示され得る。加えて、プロンプトボックス５０３におけるプロンプト情報が変更される。プロンプト情報は、通知５０５に関連する情報を表示するように、例えば、「この領域であなたの指紋を検証して画面をロック解除し、タップしてこのＷｅＣｈａｔ（登録商標）  ｒｅｄ  ｐａｃｋｅｔ！を開いてください」に変更される。
【００９３】
本願のさらに他の実施形態において、指定の通知が指定の領域Ｂに表示される場合、指紋ロック解除アイコン３０２は、代替的に、タッチスクリーン上には表示されないことがある。しかしながら、指紋ロック解除アイコン３０２がタッチスクリーン上で前に表示されている位置は、指紋認識部が配置されている位置である。この場合、ユーザに知覚されることなく、指紋ロック解除が迅速に実行され得ると共に、当該通知メッセージに対応するアプリケーションが開始得ることにより、ユーザエクスペリエンスが改善される。
【００９４】
図５Ｅに示されるように、電子デバイス３００は、ユーザの指５０７を用いてｒｅｄ−ｐａｃｋｅｔ読み取りボタン５０６上で実行されたタッチイベントを検出し、タッチイベントに応答して、指定の領域Ｂに対応する、タッチスクリーン上の指紋認識部を用いて指紋を収集し、当該指紋を検証する（例えば、収集した指紋が予め記憶された有効な指紋と一致しているかどうかを判断する）。電子デバイス３００は、収集した指紋が予め記憶された有効な指紋と一致している、と判断した場合、画面をロック解除し、ＷｅＣｈａｔ（登録商標）  ｒｅｄ  ｐａｃｋｅｔから特定の量のお金を取得するための要求をＷｅＣｈａｔ（登録商標）に対応するアプリケーションサーバへ送信する。図５Ｆに示されるように、電子デバイス３００は、アプリケーションサーバの応答メッセージを受信した後に、ＷｅＣｈａｔ（登録商標）  ｒｅｄ  ｐａｃｋｅｔが開かれた後に表示されるＧＵＩをタッチスクリーン１０４上に表示する。電子デバイス３００は、収集した指紋が予め記憶された有効な指紋と一致していない、と判断した場合、ユーザにプロンプトを提供し得る。これにより、ユーザは、指紋の不一致を知覚する。例えば、ユーザは、プロンプトボックス５０３における「指紋検証が失敗しました。再度検証してください」という情報をプロンプトされ得、ユーザの指紋検証が失敗したこと等を、振動を通じてプロンプトされ得る。さらに他の実施形態において、タッチイベントに応答して、プロンプトボックス５０２におけるプロンプト情報が代替的にズームインモードで表示され得る。これにより、ユーザは、プロンプト情報に注意を払う。図５Ｆは、ＷｅＣｈａｔ（登録商標）  ｒｅｄ  ｐａｃｋｅｔが開かれている画面の例を示す。Ｓｔｅｖｅｎというユーザが獲得したｒｅｄ  ｐａｃｋｅｔにおけるある量のお金と他の関連情報とが、画面上に表示される。ユーザの指がアイコン５０８の背面をタップした場合、ＷｅＣｈａｔ（登録商標）のメイン画面がタッチスクリーン１０４上に表示され得る。本願の他の実施形態において、セキュリティレベルを上げるために、前述の実施形態において指紋検証が実行された場合、前向きカメラ３０７は、顔特徴情報または虹彩情報を収集するためにも用いられ得る。電子デバイス３００は、収集した顔特徴情報を予め記憶された有効な顔特徴情報と比較し得るか、または、収集した虹彩情報を予め記憶された有効な虹彩情報と比較し得る。電子デバイス３００は、指紋検証および顔特徴情報検証の両方が成功した場合または指紋検証および虹彩情報検証の両方が成功した場合にのみ画面をロック解除し、通知７０３に対応するアプリケーションのＧＵＩを表示する。
【００９５】
いくつかのシナリオにおいて、ユーザは、図５Ｄに表示されるＷｅＣｈａｔ（登録商標）  ｒｅｄ  ｐａｃｋｅｔに関心がないことがある。次に、本願の他の実施形態において、図５Ｇに示されるように、ユーザは、タッチスクリーン１０４上でスライドジェスチャ５１０を実行し得る。この場合、電子デバイス３００は、スライドジェスチャに基づいて画面をロック解除し、図３Ｂに示されるメイン画面を表示し得るが、ＷｅＣｈａｔ（登録商標）  ｒｅｄ  ｐａｃｋｅｔまたは他の通知は処理しない。スライドジェスチャ５１０では、開始位置がロック画面上の通知（例えば、通知５０１および通知５０５）の表示領域の外部であり得、終了位置が指定の領域Ｂにおける指紋ロック解除アイコン５０２であり得ることにより、指紋認識部１１２は、指紋を収集および検証する。
【００９６】
本願のいくつかの実施形態において、ユーザは、どの通知が指定の領域に表示され得るかを手動で設定し得る。例えば、図１１Ａから図１１Ｆは、異なる通知が異なるように表示をするようにユーザが設定したＧＵＩである。電子デバイス３００は、ユーザの指が図３Ａにおける設定アイコン３１２にタッチしたことを検出した後に、タッチイベントに応答して、図１１Ａに示されるように、設定アイコン３１２に関連するＧＵＩをタッチスクリーン上に表示する。図１１Ａは、設定アイコン３１２の複数の特定のメニュー、例えば、機内モードメニュー、Ｗｉ−Ｆｉメニュー、Ｂｌｕｅｔｏｏｔｈ（登録商標）メニューおよび通知メニュー１１０１を示す。ユーザは、図１１Ｂに示されるように、制御要素１１０２をタップして、通知メニュー１１０１の特定のサブメニューに入り得る。図１１Ｂは、通知メニュー１１０１のサブメニュー、例えば、ギャラリーａｐｐに関する通知設定を実行するために用いられるサブメニュー１１０３と、ＷｅＣｈａｔ（登録商標）に関する通知設定を実行するために用いられるサブメニュー１１０４と、ＳＭＳに関する通知設定を実行するために用いられるサブメニュー１１０５とを示す。電子デバイスは、タッチ制御要素１１０６上でユーザにより実行されたタッチイベント（例えば、わずかにタッチするかまたは押すこと）を検出した後に、タッチイベントに応答して、図１１Ｃに示されるように、ＳＭＳ関連通知のサブメニューをタッチスクリーン上に表示する。サブメニューの項目１１０７は、タッチスクリーン上に現れることをＳＭＳ関連通知が許可されているかどうかを示す。図１１ＣにおけるＧＵＩにおいて、制御要素１１０８は、タッチスクリーン上に現れることをＳＭＳ関連通知が許可されていることを示す。項目１１０７は、より低いレベルのサブ項目、例えば、サブ項目１１０７−１およびサブ項目１１０７−２をさらに含む。サブ項目１１０７−１において、制御要素１１０９は、ロック画面上に現れることをＳＭＳ関連通知が許可されていることを示す。サブ項目１１０７−２において、制御要素１１１０は、指定の領域に現れることをＳＭＳ関連通知が許可されていないことを示す。しかしながら、制御要素１１０９がタッチされていないので、ＳＭＳ関連通知は、指定の領域を除くロック画面上に現れることを依然として許可されている。図５Ａから図５Ｃを参照すると、本願の本実施形態の具体的な例がより良く理解され得る。特に、図５Ｂに示されるように、（図１１Ｃに示される）ＳＭＳ関連通知をどのように表示するかをユーザが設定済みなので、図５Ｂにおいて、ＳＭＳ関連通知５０１は、ロック画面上には表示されているが、指定の領域Ｂには表示されていない。本明細書における指定の領域の意味は、前述の実施形態において言及された指定の領域の意味と同様または同じである。
【００９７】
電子デバイスは、制御要素１１１０上でユーザにより実行されたタッチイベントを検出した後に、当該タッチイベントに応答する。図１１Ｄに示されるように、制御要素１１１０は、制御要素１１１３として表示され、制御要素１１１３は、ＳＭＳ関連通知が指定の領域に表示されることを電子デバイスが許可していることを示す。制御要素１１１３と制御要素１１０９との組み合わせは、ＳＭＳ関連通知がロック画面上の指定の領域に表示され得ることを示す。
【００９８】
本願の他の実施形態において、ＳＭＳ関連通知が指定の領域に表示されることを電子デバイスが許可した場合、サブ項目１１０７−２のより多くのメニューが、タッチスクリーン上にさらに表示され得る。例えば、図１１Ｃにおいて、電子デバイスは、制御要素１１１０上でユーザにより実行されたタッチイベントを検出した後に、当該タッチイベントに応答し、図１１Ｅに示されるＧＵＩをタッチスクリーン上に表示している。当該ＧＵＩでは、図１１Ｃにおけるものと比較して、制御要素１１１０は、制御要素１１１３に変更されており、制御要素１１１３は、ＳＭＳ関連通知が指定の領域に表示されることを電子デバイスが許可していることを示している。例えば、図１１Ｅにおいて、より多くのメニューがサブ項目１１０７−２に表示されている。これらのメニューは、ＳＭＳアプリにおけるどの連絡先により送信された通知が指定の領域に表示され得るのかを具体的に設定するように構成され得る。例えば、制御要素１１１１は、選択された連絡先からの通知のみが指定の領域に表示され得、選択されていない連絡先により送信される通知は指定の領域に表示されないことを示す。例えば、制御要素１１１２は、指定の領域に現れることを「星の王子さま」という連絡先により送信されたＳＭＳメッセージについての通知が許可されていることを示す。加えて、制御要素１１０９がタッチされていないので、選択されていない連絡先からのＳＭＳメッセージについての通知が、指定の領域を除くロック画面上に現れることを依然として許可されている。
【００９９】
他の実施形態において、ユーザが制御要素１１０８にタッチした後に、図１１Ｆに示されるＧＵＩが表示される。制御要素１１１４は、ＳＭＳ関連通知がタッチスクリーン上に現れることを許可されていないことを示している。すなわち、電子デバイスは、ＳＭＳメッセージを依然として受信し得る（ユーザは、ＳＭＳアプリの関連ＧＵＩを開いて、当該ＧＵＩにおける受信した全てのＳＭＳメッセージを見得る）が、通知形式で受信した新しいＳＭＳメッセージの関連する内容をユーザにプロンプトし得ない。
【０１００】
本願の他の実施形態において、電子デバイスは、代替的に、異なる通知ポリシーに従って、新しく受信した様々なメッセージをどのように通知するかを自動的に判断し得る。例えば、どの通知が指定の領域に表示され得るかは、当該通知の優先順位に基づいて判断されるか、または、当該通知を受信した時系列で判断される。例えば、図１１Ｃに示されるように、サブ項目１１０７−３は、自動通知メニューである。自動通知は、電子デバイスが、前述の通知ポリシーまたは電子デバイスが位置する環境に基づいて、ＳＭＳ関連通知を異なる度合いで自動的に通知し得ることを意味する。制御要素１１１５は、自動通知が許可されないことを示す。ユーザが制御要素１１１５にタッチした後に、自動通知機能が有効にされ、電子デバイスは、前述の通知ポリシーまたは電子デバイスが位置する環境に基づいて、ＳＭＳ関連通知を処理する。
【０１０１】
前述の実施形態は、タッチスクリーン上の指紋認識部１１２を備える電子デバイス３００上に実装される。本願の他の実施形態において、図６Ａに示されるように、指紋認識部１１２は、代替的に、電子デバイス３００の別の位置に配置され得る。図６Ａにおいて、（前述の実施形態における指紋認識部１１２と同じまたは同様の機能を有する）指紋認識部６０１が、電子デバイス３００の底部におけるベゼル（ｂｅｚｅｌ）６０３に配置されている。ベゼル６０３は、タッチスクリーン１０４の４つの側面に隣接している。指紋認識部６０１は、指紋センサ等を含み得る。他の実施形態において、発光デバイス６０２、例えば発光ダイオードが、指紋認識部６０１の周囲に配置される。発光デバイス６０２は、光を発するように、または光を発しないように、電子デバイス３００のプロセッサ１０１により制御され得る。いくつかの実施形態において、指紋認識部６０１および発光デバイス６０２は、ホームボタン（ホーム画面ボタン）と総称され得る。
【０１０２】
図６Ａは、ロック画面を示す。ロック画面は、ロック画面壁紙３０１、日時３０５、プロンプトボックス６０４および指紋ロック解除アイコン６０５を含み得る。指紋ロック解除アイコン６０５は、電子デバイス３００が指紋ロック解除をサポートしていることをユーザに直感的にリマインドするように構成される。これにより、ユーザは、対応する操作を実行する。プロンプトボックス６０４におけるプロンプト情報は、「このアイコンをホームボタンへスライドしてロック解除してください」等であり得る。プロンプトボックス６０４および指紋ロック解除アイコン６０５は、両方が必ずしもロック画面上に表示されるわけではなく、それらのうちの１つのみ、例えばプロンプトボックス６０４が表示され得ることが理解され得る。
【０１０３】
図６Ｂに示されるように、電子デバイス３００は、ユーザの指６０６を用いてスライドジェスチャ６０７が指紋ロック解除アイコン６０５上で実行されたことを検出し、スライドジェスチャ６０７に応答して、収集した指紋が予め記憶された有効な指紋と一致しているかどうかを判断し、収集した指紋が有効な指紋と一致している場合、画面をロック解除し、メイン画面（例えば、図３Ｂに示されるメイン画面）をタッチスクリーン１０４上に表示する。スライドジェスチャ６０７は、タッチスクリーンの内側から外側へと動くジェスチャであり得る。具体的には、開始位置は、タッチスクリーン上の指紋ロック解除アイコン６０５の位置であり得、スライドジェスチャ６０７の終点は、タッチスクリーン１０４の外部であり、終了位置は、指紋認識部６０１の位置である。加えて、スライドジェスチャ６０７は、ユーザの指６０６を用いてタッチスクリーン１０４にわずかにタッチし、タッチスクリーン１０４との接触を維持しながら、ベゼル６０３における指紋認識部６０１の位置へと動くことであり得る。本願の他の実施形態において、指紋ロック解除アイコン６０５は、ユーザの指６０６の動きと共に動いて、タッチスクリーン１０４上に表示され得る。ユーザの指６０６がタッチスクリーン１０４の外へスライドした場合、指紋ロック解除アイコン６０５は、アニメーションの形態で初期表示位置へ戻る。
【０１０４】
図６Ｃに示されるように、本実施形態における電子デバイス３００は、通知６０６および通知６０７という２つの通知を受信する。ユーザがこれら２つの通知を見ていながら、これらの通知を開いて詳細なメッセージを見ることを望まない場合、ユーザは、図６Ｂにおけるスライドジェスチャ６０７を実行することで画面をロック解除し得る。これにより、電子デバイス３００は、ロック解除されたメイン画面を表示する。
【０１０５】
図６Ｄに示されるように、電子デバイス３００は、ユーザの指６０６を用いて通知６０８に対して第１のタッチイベントが実行されたことを検出し、第１のタッチイベントに応答して、プロンプトボックス６０４におけるプロンプト情報が、「指をホームボタンへスライドしてロック解除し、このＳＭＳメッセージを見てください」に変更され得ると共に、プロンプト矢印６１０が表示される。プロンプト矢印６１０およびプロンプトボックス６０４は、画面をロック解除するようユーザをプロンプトおよび誘導するために共に用いられる。本願の他の実施形態において、前述の実施形態において言及されたように、第１のタッチイベントに応答して、プロンプトボックス６０４は、目立つように表示され（例えば、ズームインモードで表示され）得る。このように、ユーザは、現在の操作により良く集中し得る。本願の他の実施形態において、第１のタッチイベントに応答して、発光デバイス６０２は、ユーザをより良く視覚的にプロンプトすべく、光を発し得る。発光デバイス６０２は、第１のタッチイベントに基づいて選択された異なるタイプの通知に応じて、異なる色の光または異なる周波数の光を発し得る。ユーザの指６０６がもはやタッチスクリーン１０４にタッチしていない場合、発光デバイス６０２は、もはや光を発しないことがあるか、または予め定められた時間だけ光を発することを続け得る。ユーザ操作が予め定められた時間内に実行されなかった場合、発光デバイス６０２は、もはや光を発しない。
【０１０６】
図６Ｅに示されるように、電子デバイス３００は、ユーザの指６０６を用いて通知６０８に対して実行された第２のタッチイベント６１１（すなわち、スライドジェスチャ）を検出する。第２のタッチイベント６１１の開始位置は、タッチスクリーン１０４上の通知６０８の表示領域であり得る。第２のタッチイベント６１１の終了位置は、指紋認識部６０１の位置であり得る、すなわち、スライドジェスチャ６１１の終了位置は、タッチスクリーン１０４の外部である。第２のタッチイベント６１１に応答して、電子デバイス３００は、指紋認識部６０１を用いて指紋を収集し、当該指紋を検証（例えば、当該指紋を予め記憶された有効な指紋と比較）し得る。電子デバイス３００は、収集した指紋が有効な指紋と一致している、と判断した場合、画面をロック解除し、通知６０８に対応するアプリケーションのＧＵＩ（例えば、図４Ｇに示されるインタフェース）を開く。これにより、ユーザは、通知６０８における具体的な情報を迅速に見る。電子デバイス３００は、収集した指紋が有効な指紋と一致していない、と判断した場合、収集した指紋が有効な指紋と一致していないというプロンプトを提供する。
【０１０７】
図６Ｆに示されるように、本願の他の実施形態において、様々な通知が、タッチスクリーンの指紋認識部６０１の近くの位置に表示され得る。このことは、ユーザが画面を迅速にロック解除してメッセージを見るのに役立つ。図６Ｆでは、通知６０８がタッチスクリーン１０４上に表示されており、通知６０８を表示するための位置は、指紋認識部６０１の位置と非常に近い。ユーザの指６０６が非常に短い距離のスライドジェスチャ６１２を実行することを条件として、電子デバイス３００は、指紋を収集および検証し、指紋検証が成功した後に、画面を迅速にロック解除し、通知６０８に対応するアプリケーションのＧＵＩ（図４Ｇに示される）を表示し得る。
【０１０８】
本願のいくつかの実施形態において、指紋認識部は、代替的に、電子デバイス３００の背面上に配置され得る。図７Ａに示されるように、２つのカメラ２０１が電子デバイス３００の背面ハウジング７０６上に配置され、指紋認識部７０１がカメラ２０１の下に配置される。図７Ｂに示されるように、２つの通知７０２および７０３が、電子デバイス３００のロック画面上に表示され、ユーザの右手が電子デバイス３００を保持する。人差し指７０４が電子デバイス３００の背面上の指紋認識部７０１にタッチする。加えて、親指７０５がタッチスクリーン１０４上に表示された通知７０３にタッチする。このシナリオにおいて、電子デバイス３００は、背面上の指紋認識部７０１を用いて指紋を迅速に収集し、当該指紋を検証（例えば、収集した指紋を予め記憶された有効な指紋と比較）し得る。指紋検証が成功した後に、画面が迅速にロック解除され、通知７０３に対応するアプリケーションのＧＵＩが表示される。本実施形態における技術的解決手段によれば、ユーザが電子デバイスを最も自然な方式で保持した場合、電子デバイスは、迅速に指紋を認識し、画面をロック解除し、アプリケーションのＧＵＩを開く。これにより、電子デバイスのトランザクション処理効率が大幅に改善され、ユーザエクスペリエンスがさらに改善される。
【０１０９】
本願の他の実施形態において、セキュリティレベルを上げるために、前述の実施形態において指紋検証が実行された場合、前向きカメラ３０７は、顔特徴情報または虹彩情報を収集するためにも用いられ得る。電子デバイス３００は、収集した顔特徴情報を予め記憶された有効な顔特徴情報と比較し得るか、または収集した虹彩情報を予め記憶された有効な虹彩情報と比較し得る。電子デバイス３００は、指紋検証および顔特徴情報の両方の検証が成功した場合、または指紋検証および虹彩情報の両方の検証が成功した場合にのみ、画面をロック解除し、通知７０３に対応するアプリケーションのＧＵＩを表示する。
【０１１０】
図８に示されるように、本願の実施形態は、通知処理方法を提供する。方法は、タッチスクリーン１０４と指紋認識部１１２とを備える電子デバイス（例えば、携帯電話１００）により実装され得る。方法は、前述の実施形態における特定の解決手段を実装するために用いられ得る。方法は、以下の段階を含み得る。段階Ｓ８０１．グラフィカルユーザインタフェースを電子デバイスのタッチスクリーン上に表示する。
【０１１１】
例えば、グラフィカルユーザインタフェース（ＧＵＩ）は、タッチスクリーンの表示画面上に表示され得る。ＧＵＩは、具体的には、ロック画面であり得る。ロック画面は、様々なインタフェース要素、例えば、図３Ａ、図４Ａ、図５Ａから図５Ｃ、図６Ａ、図１０Ａ等に表示されているインタフェース要素を含み得る。具体的には、ロック画面は、１または複数の通知を含み得る。当該通知は、電子デバイスが受信する新しい通知であり得る。当該通知は、ロック画面上の第１の領域に表示され得る。第１の領域は、ロック画面上の部分的な表示領域である。例えば、図４Ａに示されるように、通知４０１および通知４０２が、ロック画面上の第１の領域（この図では、参照番号を用いて示されない）に表示される。別の例では、図５Ｂに示されるように、通知５０１が、ロック画面上の第１の領域（この図では、参照番号を用いて示されない）に表示される。第１の領域は、様々なインタフェース要素（例えば、アイコン、コントロールおよびウィジェット）を表示するために用いられる。
【０１１２】
本願の他の実施形態において、当該通知がロック画面上の第１の領域に表示されることは、具体的には、以下のことを含み得る。
【０１１３】
電子デバイスは、新しい通知を受信した後に、受信した通知が指定の通知であるかどうかを判断する。指定の通知は、第２の領域に結び付けられた通知であり得る。指定の通知の意味については、前述の実施形態における記録を参照されたい。詳細は、ここでは繰り返されない。
【０１１４】
電子デバイスは、当該通知は指定の通知ではない、と判断した場合、当該通知を第１の領域に表示する。電子デバイスは、当該通知は指定の通知である、と判断した場合、当該通知を第２の領域に表示する。このシナリオにおいて、第２の領域は、前述の実施形態において言及された指定の領域とみなされ得る。指定の通知は、最も高い優先度を有する通知であり得るか、指定されたａｐｐの通知であり得るか、またはａｐｐにおける指定の連絡先の通知であり得る。ａｐｐは、具体的には、電話帳、ＳＭＳ、電子メール、インスタントメッセージソフトウェア（例えば、ＷｅＣｈａｔ（登録商標）またはＦａｃｅｂｏｏｋ（登録商標）  Ｍｅｓｓｅｎｇｅｒ）等であり得る。
【０１１５】
ロック画面は、指紋ロック解除アイコンをさらに含み得る。指紋ロック解除アイコンは、画面をロック解除するために指紋検証が当該アイコンの表示領域において実行され得ることをユーザに視覚的にリマインドするために用いられる。指紋ロック解除アイコンは、図３Ａに示されるアイコン３０２であり得るか、図５Ａに示されるアイコン５０２であり得るか、または図６Ａに示されるアイコン６０５であり得る。指紋ロック解除アイコンは、ロック画面上の第２の領域に表示され得る。第２の領域は、ロック画面上の部分的な表示領域である。例えば、図４Ａに示されるように、指紋ロック解除アイコン３０２は、ロック画面上の第２の領域（この図では、参照番号を用いて示されない）に表示される。別の例では、図５Ｂに示されるように、指紋ロック解除アイコン５０２は、ロック画面上の第２の領域（この図では、参照番号Ｂを用いて示されない）に表示される。ユーザがタッチスクリーンにタッチした場合に画面のロック解除を支援すべく、第２の領域は、タッチスクリーン上の指紋認識部の位置に対応し得る。ロック画面は、プロンプトボックス（図３Ａにおけるアイコン３０３、図５Ａにおけるアイコン５０３または図６Ａにおけるアイコン６０４により示される）をさらに含み得る。プロンプトをユーザに提供し、ユーザ操作を容易にすべく、プロンプトボックスは、いくつかのロック解除関連プロンプト情報をタッチスクリーン上に表示するために用いられる。プロンプトボックスは、第２の領域に表示され得る。プロンプトボックスにおけるプロンプト情報は、具体的には、「この領域であなたの指紋を検証して画面をロック解除してください」等であり得る。プロンプト情報は、前述の実施形態における様々な内容であり得る。１または複数の通知は、前述の実施形態における通知４０１、通知４０２等であり得る。各通知は、対応するアプリケーションまたはウィジェット等を有する。ユーザは、通知をタップする場合、アプリケーションのユーザインタフェースを開き、当該通知に関連する特定の情報をユーザインタフェース上に表示し得る。本実施形態において、別段の定めがない限り、当該通知は、ロック画面通知であり得る。当然ながら、他の実施形態において、当該通知は、ステータスバー通知、浮動通知またはロック画面通知のうちのいずれか１つまたは複数であり得る。本願の他の実施形態において、ロック画面は、代替的に、図３Ａにおけるロック画面壁紙３０１、日時３０５およびクイックスタートカメラアイコン３０４などの他のインタフェース要素を含み得る。本願の本実施形態において、第１の領域および第２の領域は、ロック画面上の２つの異なる表示領域である。第１の領域および第２の領域は、互いに重なり得ないか、または部分的に重なり得る。本願の他の実施形態において、第１の領域および第２の領域は、代替的に、ロック画面上の同じ表示領域であり得る。
【０１１６】
第１のおよび第２のなどの用語が、本願の実施形態において、ロック画面上の表示領域を説明するために用いられ得るが、当該表示領域は、これらの用語に限定されないことが理解されるべきである。これらの用語は、表示領域を区別することを意図しているに過ぎない。例えば、本願の実施形態の範囲から逸脱することなく、第１の領域は、代替的に、第２の領域と称され得る。同様に、第２の領域は、代替的に、第１の領域と称され得る。段階Ｓ８０２．電子デバイスがタッチスクリーン上のタッチイベントを検出する。
【０１１７】
例えば、タッチイベントは、ユーザがタッチスクリーンのタッチ感応面（例えば、タッチパネル）をタッチすることであり得る。タッチイベントは、具体的には、ユーザの指（代替的に、スタイラス等である）を用いてタッチスクリーンをわずかにタッチするかまたは押して、タッチスクリーンとの接触を維持しながら、タッチスクリーン上でのわずかなタッチまたは押すことが実行された位置から別の位置へ徐々にまたは迅速に動くことであり得る。タッチイベントは、代替的に、ユーザの指を用いてタッチスクリーンをわずかにタッチするかまたは押して、予め定められた時間（例えば、２秒）だけ静止状態を保ち、次に、タッチスクリーンとの接触を維持しながら、タッチスクリーン上でのわずかなタッチまたは押すことが実行された位置から別の位置へ徐々にまたは迅速に動くことであり得る。タッチイベントは、代替的に、ユーザの指を用いてタッチスクリーンをわずかにタッチするかまたは押し、次に、別の位置へ徐々にまたは迅速に動くことであり得る。タッチイベントは、代替的に、ユーザの指を用いてタッチスクリーンをわずかにタッチするかまたは押し、予め定められた時間だけ静止状態を保ち、次に、別の位置へ徐々にまたは迅速に動くことであり得る。列挙されたジェスチャに加え、タッチイベントは、代替的に、別のタイプのジェスチャであり得ることが理解され得る。本願の本実施形態におけるタッチイベントに対して、限定は課されない。
【０１１８】
タッチスクリーン上でユーザの指がわずかにタッチするかまたは押す位置は、第１のタッチ位置と称され得、当該別の位置は、第２のタッチ位置と称され得る。タッチイベントの第１のタッチ位置は、具体的には、ユーザがタッチスクリーンのタッチ感応面上でタッチする位置であり得る。前述の特定の実施形態の説明によれば、タッチイベントの第１のタッチ位置は、ロック画面上の第１の領域に対応し得る。すなわち、電子デバイスが第１のタッチ位置におけるタッチイベント検出した場合、第１のタッチ位置におけるタッチイベントに応答して、第１の領域における第１のタッチ位置に対応するインタフェース要素（例えば、アイコンおよびコントロール）が変更され得る。タッチイベントの第２のタッチ位置は、ロック画面上の第２の領域に対応し得る。すなわち、電子デバイスが第２のタッチ位置におけるタッチイベントを検出した場合、第２のタッチ位置におけるタッチイベントに応答して、第２の領域における第２のタッチ位置に対応するインタフェース要素が変更され得る。本願のさらに他の実施形態において、第２のタッチ位置は、代替的に、タッチスクリーンの外部であり得る。例えば、図４Ｆに示されるように、タッチイベント４０４の第１のタッチ位置は、第１の領域に対応しており、タッチイベント４０４の第２のタッチ位置は、第２の領域に対応している。別の例では、図６Ｅに示されるように、タッチイベント６１１の第１のタッチ位置は、タッチスクリーン上の第１の領域内であり、タッチイベントの第２のタッチ位置は、タッチスクリーンの外部のベゼル６０３上である。
【０１１９】
加えて、本願の他の実施形態において、段階Ｓ８０２におけるタッチイベントは、代替的に、前述の実施形態において言及された第１のタッチイベントおよび第２のタッチイベントを用いて、一緒に実装され得る。第１のタッチイベントおよび第２のタッチイベントの具体的な定義については、前述の実施形態における例についての説明を参照されたい。例えば、第１のタッチイベントは、ユーザの指を用いてタッチスクリーンをわずかにタッチするかまたは押して、予め定められた時間（例えば、２秒）だけ静止を保つことであり得る。第２のタッチイベントは、ユーザの指を用いてタッチスクリーンをわずかにタッチするかまたは押して、タッチスクリーンとの接触を維持しながら、ある位置から別の位置へと動くことであり得る。
【０１２０】
本願のいくつかの実施形態において、第１の領域に表示される通知は、代替的に、当該通知に対応するａｐｐが開始されることをユーザにリマインドすべく、タッチイベントに基づいて、第１の領域から第２の領域へドラッグされ得る。
【０１２１】
段階Ｓ８０３．タッチイベントに応答して、電子デバイスが、第２のタッチ位置における指紋を収集および検証する。
【０１２２】
前述の実施形態において、第２のタッチ位置は、ロック画面上の第２の領域に対応しており、第２の領域が位置する表示領域も、タッチスクリーン上の指紋認識部の位置に対応している。従って、電子デバイスは、指紋認識部を用いて、第２のタッチ位置における指紋を収集および検証し得る。本願の他の実施形態において、電子デバイスは、ユーザにより（指、スタイラス、またはユーザの別の対象物を用いて）実行されたタッチイベントを検出した後にのみ、指紋認識機能を有効にし得る（すなわち、指紋認識部が電源をオンにされて動作を開始するか、またはスリープモードから起動される）。このように、電子デバイスの電力がさらに節約され得る。電子デバイスは、第２のタッチ位置におけるユーザの指紋を収集し、収集した指紋を予め記憶された有効な指紋と比較し得る。
【０１２３】
段階Ｓ８０４．電子デバイスは、指紋検証が成功した後に画面をロック解除し、第１の領域における通知に対応するａｐｐを開始し、当該ａｐｐのＧＵＩをタッチスクリーン上に表示し得る。当該ＧＵＩは、当該通知の具体的な内容を含み、図４Ｇ、図５Ｆまたは図１０Ｄに示されるように、当該ａｐｐに関連する他の内容をさらに含み得る。
【０１２４】
前述の実施形態において提供される、ロック画面上の通知を処理するための方法によれば、電子デバイスとユーザとの間のヒューマンマシンインタラクションの能力が大幅に改善され、電子デバイスの処理効率も改善され、ユーザ操作の段階が簡略化され、ユーザエクスペリエンスがさらに改善される。
【０１２５】
本願の他の実施形態において、段階Ｓ８０３は、具体的には、段階Ｓ８０３１を含み得る。つまり、タッチイベントに応答して、電子デバイスは、当該通知を第１のタッチ位置に対応する第１の領域に目立つように表示し得る、例えば、当該通知をズームインモードで表示し得る。例えば、第１のタッチ位置におけるタッチイベントは、ユーザがタッチスクリーンをわずかにタッチするかまたは押して、予め定められた時間だけ静止状態を保つことであり得る。ユーザにプロンプトをより明確に提供すべく、選択された通知は、目立つように表示される。
【０１２６】
図９に示されるように、本願の実施形態は、通知処理方法を提供する。方法は、タッチスクリーン１０４と指紋認識部１１２とを備える電子デバイス３００（例えば、携帯電話１００）により実装され得る。方法は、具体的には、以下の段階を含み得る。
【０１２７】
段階Ｓ９０１．電子デバイスがタッチスクリーン上のタッチイベントを検出する、すなわち、タッチスクリーンがタッチされる。
【０１２８】
段階Ｓ９０２．タッチイベントに応答して、電子デバイスがタッチイベントの位置（すなわち、タッチ位置）を記録する。
【０１２９】
段階Ｓ９０３．電子デバイスが、タッチ位置が、指紋認識部が位置する領域である指紋認識領域であるかどうかを判断することにより、ユーザが指紋等を収集および検証するようにし、タッチ位置は指紋認識領域である、と判断した場合、段階Ｓ９０４を実行し、または、タッチ位置は指紋認識領域ではない、と判断した場合、段階Ｓ９０８を実行する。段階Ｓ９０４．指紋を収集する。
【０１３０】
段階Ｓ９０５．電子デバイスが、収集した指紋が予め記憶された指紋と一致しているかどうかを判断し、収集した指紋は予め記憶された指紋と一致している、と判断した場合、段階Ｓ９０６を実行し、または、収集した指紋は予め記憶された指紋と一致していない、と判断した場合、段階Ｓ９０７を実行する。
【０１３１】
段階Ｓ９０６．電子デバイスが、画面をロック解除し、タッチ位置に対応するアプリケーションのユーザインタフェースを開く。
【０１３２】
段階Ｓ９０７．指紋を再度収集および検証し、検証の失敗の量が予め定められた量に到達した場合、パスワードを入力するようユーザに命令する。当該パスワードは、画面をロック解除するために用いられる。
【０１３３】
段階Ｓ９０８．電子デバイスが、タッチイベントがスライドジェスチャに変更されたかどうかを判断し、タッチイベントがスライドジェスチャに変更されている場合、段階Ｓ９０９を実行し、または、タッチイベントがスライドジェスチャに変更されていない場合、段階Ｓ９１０を実行する。
【０１３４】
段階Ｓ９０９．電子デバイスが、当該ジェスチャが指紋認識領域へスライドされたかどうかを判断し、当該ジェスチャは指紋認識領域へスライドしている、と判断した場合、段階Ｓ９０４を実行し、または、当該ジェスチャは指紋認識領域へスライドされていない、と判断した場合、段階Ｓ９１１を実行する。
【０１３５】
段階Ｓ９１０．電子デバイスが、タッチイベントが指紋認識領域において検出されたかどうかを判断し、タッチイベントが指紋認識領域において検出されている、と判断した場合、段階Ｓ９０４を実行し、または、タッチイベントが指紋認識領域において検出されていない、と判断した場合、段階Ｓ９０８を実行する。
【０１３６】
段階Ｓ９１１．電子デバイスが、当該ジェスチャがタッチスクリーンから離れているかどうかを判断し、当該ジェスチャはタッチスクリーンから離れている、と判断した場合、段階Ｓ９１２を実行し、または、当該ジェスチャはタッチスクリーンから離れていない、と判断した場合、段階Ｓ９０９を実行する。段階Ｓ９１２．現在の操作手順を終了する。
【０１３７】
タッチスクリーン上のタッチイベントは、本願の前述の実施形態において連続的に識別される。これにより、電子デバイスは、ユーザ操作を正確に識別することにより、電子デバイスのトランザクション処理効率を改善し得る。
【０１３８】
従来技術において、電子デバイスは、新しい通知を受信した場合、通知をロック画面上に表示し、または、複数の通知を受信した場合、複数の通知を受信の時系列でロック画面上に表示する。しかしながら、電子デバイスのユーザは、いくつかのタイプの通知のみに関心があり得るか、または指定の内容に関心があり得る。当該通知は、ロック画面上に不規則に表示される。結果的に、電子デバイスのヒューマンマシンインタラクション能力が大幅に減り、電子デバイスの使用効率も減る。技術的課題を解決するために、図１２に示されるように、本願の実施形態は、通知処理方法を提供する。方法は、タッチスクリーン１０４と指紋認識部１１２とを備える電子デバイス（例えば、携帯電話１００）により実装され得る。方法は、以下の段階を含み得る。
【０１３９】
段階Ｓ１２０１．ロック画面を電子デバイスのタッチスクリーン上に表示する。ロック画面の具体的な意味と含まれるインタフェース要素とは、前述の実施形態におけるロック画面のものと同じまたは同様であり得る。
【０１４０】
段階Ｓ１２０２．電子デバイスが新しい通知を受信する。ここでの当該通知の具体的な意味は、前述の実施形態における通知の意味と同じまたは同様であり得る。
【０１４１】
段階Ｓ１２０３．電子デバイスが、当該通知が指定の通知であるかどうかを判断する。指定の通知は、ロック画面の第２の領域に結び付けられた通知であり、指定の通知のみが第２の領域に表示され得、指定の通知の意味は、前述の実施形態における指定の通知の具体的な解釈であり得る。電子デバイスは、当該通知は指定の通知である、と判断した場合、段階Ｓ１２０４を実行し、または、当該通知は指定の通知ではない、と判断した場合、段階Ｓ１２０５を実行する。段階Ｓ１２０４．当該通知をロック画面の第２の領域に表示する。段階Ｓ１２０５．当該通知をロック画面上の第１の領域に表示する。
【０１４２】
前述の実施形態において、受信された異なる通知は、ロック画面上の異なる表示領域に表示され得る。これにより、ユーザ操作が容易になる。加えて、指定の通知が指定の領域に表示されることにより、ユーザが指定の領域に焦点を合わせるようにする。これにより、ユーザが重要な通知または関心がある通知を迅速に処理することを支援する。また、これにより、電子デバイスのヒューマンマシンインタラクション能力が改善され、ユーザエクスペリエンスが改善される。
【０１４３】
第１の領域および第２の領域は、ロック画面上の２つの異なる表示領域であり得、様々なインタフェース要素（例えば、アイコン、コントロールおよびウィジェット）を表示するために用いられる。
【０１４４】
加えて、第２の領域（すなわち、指定の領域）は、ロック画面の中央の表示領域であり得る。このように、全ての重要な通知、またはユーザが関心のある全ての通知が、ユーザが容易に知覚し得る表示領域に表示され得る。
【０１４５】
加えて、ロック解除アイコンがさらに第２の領域に表示され得、画面のロック解除に関連するいくつかの情報をユーザにプロンプトするように構成される。例えば、図５Ｃに示されるように、指紋ロック解除アイコン５０２が第２の領域に表示され、プロンプトボックス５０３がさらに第２の領域に表示され得る。ＷｅＣｈａｔ（登録商標）関連通知は指定の通知なので、ＷｅＣｈａｔ（登録商標）関連通知５０４は、指定の領域（すなわち、第２の領域Ｂ）に表示される。
【０１４６】
本願の他の実施形態において、段階Ｓ１２０４の（すなわち、当該通知がロック画面上の第２の領域に表示される）場合、方法は、以下の段階をさらに含み得る。
【０１４７】
段階Ｓ１２０６．電子デバイスがタッチスクリーン上のタッチイベントを検出する。タッチイベントは、ユーザの指を用いてタッチスクリーンをわずかにタッチするかまたは押すなどのジェスチャであり得、タッチスクリーン上のタッチイベントのタッチ位置は、タッチスクリーン上の指紋認識部の位置であり、タッチスクリーン上のタッチイベントの位置は、ロック画面上の第２の領域に対応し得る。例えば、図５Ｅに示されるように、ユーザの指５０７がタッチスクリーンにタッチしており、タッチ位置は、タッチスクリーン上の指紋認識部の位置である。
【０１４８】
段階Ｓ１２０７．タッチイベントに応答して、電子デバイスが、タッチ位置におけるユーザの指紋を収集および検証する。例えば、図５Ｅに示されるように、ユーザがタッチスクリーンにタッチした後に、ユーザの指紋は、タッチ位置において収集される。
【０１４９】
段階Ｓ１２０８．指紋検証が成功した後に、電子デバイスは、画面をロック解除し、第２の領域に表示された通知に対応するａｐｐのＧＵＩを開く。当該ＧＵＩは、当該通知の具体的な内容を含み、図４Ｇ、図５Ｆまたは図１０Ｄに示されるように、当該ａｐｐに関連する他の内容をさらに含み得る。他の実施形態において、方法は、代替的に、指紋検証が失敗した場合、電子デバイスがユーザにプロンプトを提供する、という段階Ｓ１２１５を含み得る。
【０１５０】
本願の本実施形態において提供される方法によれば、電子デバイスとユーザとの間のヒューマンマシンインタラクションの能力が大幅に改善され、電子デバイスの処理効率も改善され、ユーザ操作の段階が簡略化され、ユーザエクスペリエンスがさらに改善される。
【０１５１】
本願のさらに他の実施形態において、段階Ｓ１２０５の（すなわち、当該通知がロック画面上の第１の領域に表示される）場合、方法は、以下の段階をさらに含み得る。
【０１５２】
段階Ｓ１２０９．電子デバイスがタッチスクリーン上の第１のタッチイベントを検出する。第１のタッチイベントは、ユーザの指を用いてタッチスクリーンをわずかにタッチするかまたは押すなどのジェスチャであり得、タッチスクリーン上の第１のタッチイベントのタッチ位置は、ロック画面上の第１の領域に対応している。すなわち、第１のタッチイベントは、第１の領域に表示される通知に固有ものである。例えば、図４Ｅに示されるように、ユーザの指４０３がタッチスクリーンにタッチする。タッチ位置は、ユーザの視覚という観点から、ロック画面上の第１の領域における通知４０１に対応している。
【０１５３】
段階Ｓ１２１０．第１のタッチイベントに応答して、当該通知が目立つように表示される、例えば、ズームインモードで表示される。これにより、ユーザは、当該通知が選択されたことをプロンプトされる。例えば、図４Ｄおよび図４Ｅに示されるように、ユーザの指４０３がタッチスクリーンにタッチした後に、選択された通知４０１がズームインモードで表示される。
【０１５４】
段階Ｓ１２１１．電子デバイスがタッチスクリーン上の第２のタッチイベントを検出する。第２のタッチイベントは、タッチスクリーン上の第１のタッチ位置および第２のタッチ位置を含み、第１のタッチ位置は、第１の領域に対応しており、第２のタッチ位置は、第２の領域に対応している。例えば、図４Ｆに示されるように、第２のタッチイベントは、スライドジェスチャ４０４であり得る。スライドジェスチャ４０４は、タッチスクリーン上のある位置から別の位置へスライドする。それに対応して、タッチスクリーン上の第２のタッチイベントの第１のタッチ位置は、ロック画面上の第１の領域（すなわち、通知４０１の表示領域）に対応しており、タッチスクリーン上の第２のタッチイベントの第２のタッチ位置は、ロック画面上の第２の領域（すなわち、指紋ロック解除アイコン３０２の表示領域）に対応していることが理解され得る。
【０１５５】
段階Ｓ１２１２．第２のタッチイベントに応答して、電子デバイスは、第２のタッチ位置における指紋を収集および検証する。
【０１５６】
加えて、第２のタッチイベントに応答して、表示効果の観点から、通知４０１はさらに、第１の領域から第２の領域へとドラッグされ、第２の領域に表示され得る。ドラッグされた通知が表示されることにより、ユーザは、どの通知が第２の領域に表示されるかを直感的に見得る。この場合、ユーザがさらなる操作を実行することにより、ユーザエクスペリエンスが改善される。
【０１５７】
段階Ｓ１２１３．指紋検証が成功した後に、電子デバイスは、画面をロック解除し、選択された通知に対応するａｐｐのＧＵＩを開く。当該ＧＵＩは、当該通知の具体的な内容を含み、図４Ｇ、図５Ｆまたは図１０Ｄに示されるように、当該ａｐｐに関連する他の内容をさらに含み得る。
【０１５８】
任意選択的に、方法は、指紋検証が失敗した場合、電子デバイスがユーザにプロンプトを提供し得る、という段階Ｓ１２１４をさらに含み得る。
【０１５９】
本願の本実施形態において、段階Ｓ１２０５における当該通知は、指定の通知ではなく、第２の領域に表示されない。しかしながら、当該通知は、ユーザの単純な操作を実行することにより、第２の領域へとドラッグされて、画面がロック解除され、当該通知に対応するａｐｐが開始され得る。これにより、ユーザエクスペリエンスが改善される。
【０１６０】
従来技術において、ユーザは、電話をかける必要がある場合、携帯電話上で操作を直接実行し得る。例えば、ユーザは、電話帳を開き、表示された連絡先リストから連絡先を選択し、次に、連絡先の詳細な画面上で電話番号をタップし、電話番号をダイヤルする。しかしながら、本実施形態を実装するプロセスにおいて、従来技術には、現在電話番号をダイヤルしているユーザが認証されたユーザであるかどうかを携帯電話が判断し得ない、という欠点がある。結果的に、不正ユーザが恣意的にダイヤルし、プライバシーが開示されることがある。前述の技術的課題を解決するために、本願の実施形態は、電話をかける方法を提供する。方法は、タッチスクリーンと指紋認識部とを備える電子デバイス上で実装され得る。図１４に示されるように、方法は、以下の段階を含み得る。
【０１６１】
段階Ｓ１４０１．連絡先の通信番号をタッチスクリーン上の指定の領域に表示する。当該通信番号は、電話番号であり得るか、またはインスタントメッセージ番号、例えば、ＷｅＣｈａｔ（登録商標）  ＩＤまたはＦａｃｅｂｏｏｋ（登録商標）  Ｍｅｓｓｅｎｇｅｒ  ＩＤであり得る。指定の領域の表示位置は、タッチスクリーン上の指紋認識部の位置に対応している。
【０１６２】
段階Ｓ１４０２．電子デバイスがタッチスクリーン上のタッチイベントを検出する。当該タッチイベントの位置は、タッチスクリーン上の指紋認識部の位置である。
【０１６３】
段階Ｓ１４０３．タッチイベントに応答して、電子デバイスが、指紋認識部を用いて、指紋を収集および検証する。
【０１６４】
段階Ｓ１４０４．指紋検証が成功した後に、電子デバイスが、通信番号に対応する連絡先に電話をする。
【０１６５】
任意選択的に、方法は、代替的に、指紋検証が失敗した場合、プロンプトボックスがタッチスクリーン上に表示される、という段階Ｓ１４０５を含み得る。プロンプトボックスは、指紋検証の失敗に起因して、電子デバイスが、通信番号に対応する連絡先に電話をかけていない、という情報をユーザにプロンプトするために用いられる。具体的には、プロンプトボックスにおける情報は、「指紋検証に失敗しました。電話をかけることができません」等であり得る。
【０１６６】
本願の本実施形態における方法によれば、電子デバイスは、指紋検証が成功した後に、対応する電話番号をダイヤルし得る。これにより、ユーザのプライバシーセキュリティが保護される。
【０１６７】
従来技術において、電子デバイス（例えば、携帯電話またはタブレットコンピュータ）が着信した場合、例えば、タッチスクリーン上の仮想ボタンにタッチして、着信に応答／着信を拒否するなどの操作が、電子デバイス上で直接実行され得る。しかしながら、本実施形態を実装するプロセスにおいて、従来技術には、応答操作を現在実行しているユーザが認証されたユーザであるかどうかを電子デバイスが判断し得ない、という欠点がある。結果的に、不正ユーザが着信に恣意的に応答し、プライバシーが開示されることがある。前述の技術的課題を解決するために、図１５に示されるように、本願の実施形態は、着信に応答／拒否するための方法を提供する。方法は、タッチスクリーンと指紋認識部とを備える電子デバイス上で実装され得る。方法は、以下の段階を含み得る。段階Ｓ１５０１．新しい着信を受ける。
【０１６８】
段階Ｓ１５０２．拒否制御要素と応答制御要素とを含む機能制御要素をタッチスクリーン上の指定の領域に表示する。指紋認識部は、指定の領域に配置される。
【０１６９】
段階Ｓ１５０３．タッチスクリーン上のタッチイベントを検出する。タッチイベントは、タッチスクリーン上のある位置から別の位置へと動くスライドジェスチャであり得る。
【０１７０】
段階Ｓ１５０４．タッチイベントに応答して、電子デバイスがユーザの指紋を収集および検証する。
【０１７１】
段階Ｓ１５０５．指紋検証が成功した後に、電子デバイスが着信に応答／着信を拒否する。
【０１７２】
任意選択的に、方法は、指紋検証が失敗した場合、電子デバイスが、検証の失敗を示す情報をユーザにプロンプトするために用いられるプロンプトボックスを表示する、という段階Ｓ１５０６をさらに含み得る。例えば、当該情報は、「指紋検証が失敗しました。着信の応答／拒否が禁止されています」等であり得る。
【０１７３】
本願の本実施形態における方法によれば、電子デバイスは、指紋検証が成功した後に、対応する着信に応答／着信を拒否し得る。これにより、ユーザのプライバシーセキュリティが保護される。
【０１７４】
例えば、図１６Ａから図１６Ｃは、本願の本実施形態における着信の応答に関連するＧＵＩを示す。図１６Ａにおいて、電子デバイスは、連絡先１６０４（星の王子さま）から着信を受け、次に、着信ＧＵＩがタッチスクリーン上に表示される。当該ＧＵＩは、拒否制御要素１６０３および応答制御要素１６０２を含む。制御要素１６０１は、ユーザの指１６０５が、タッチスクリーンとの接触を維持しながら制御要素１６０１にタッチし、制御要素１６０２または制御要素１６０３の位置へと動いて、着信に応答し得るか、または着信を拒否し得ることを示す。図１６Ｂに示されるように、タッチスクリーン上でユーザによりスライドジェスチャ１６０６が実行されることで、制御要素１６０１が制御要素１６０２の位置へと動く。この場合、タッチイベント（すなわち、スライドジェスチャ１６０６）に応答して、電子デバイスは、タッチスクリーン上の指紋認識部を用いて、ユーザの指紋を収集および検証する。電子デバイスは、指紋検証が成功した後に連絡先からの着信を受け、図１６Ｃに示されるＧＵＩを表示する。当該ＧＵＩにおいて、連絡先の状態１６０７は、連絡先からの着信に現在応答していることを示す。制御要素１６０３は、応答した電話をユーザが切り得ることを示す。
【０１７５】
図１３に示されるように、本願のいくつかの実施形態において、電子デバイス１３０が開示される。電子デバイス１３０は、（具体的には、タッチ感応面１３１−１および表示画面１３１−２を含み得る）タッチスクリーン１３１、プロセッサ１３２、メモリ１３３および指紋認識部１３４を含み得ると共に、前述のコンポーネントに接続された１または複数の通信バス１３５をさらに含み得る。本願の本実施形態における電子デバイス１３０は、前述の実施形態における方法および添付図面の実装の解決手段を実行するように構成され得る。
【０１７６】
本願の他の実施形態において、電子デバイスが開示される。電子デバイスは、タッチスクリーンと、１または複数のプロセッサと、メモリと、複数のアプリケーションと、１または複数のプログラムとを含み得る。タッチスクリーンは、タッチ感応面（例えば、タッチパネル）およびディスプレイを含み、１または複数のプログラムは、メモリに格納され、１または複数のプロセッサにより実行されるように構成され、１または複数のプログラムは、命令を含み、命令は、前述の実施形態における段階を実行するために用いられ得る。
【０１７７】
前述の実施形態における第１のタッチイベントは、異なるジェスチャであり得る。例えば、第１のタッチイベントは、ユーザの指を用いてタッチスクリーンにわずかにタッチし、予め定められた時間だけ静止状態を保つことであり得るか、ユーザの指を用いてタッチスクリーンを押し、予め定められた時間だけ静止状態を保つことであり得るか、ユーザの指を用いてタッチスクリーンにわずかにタッチし、次に、予め定められた時間内にタッチスクリーンを押すことであり得るか、または、ユーザの指を用いてタッチスクリーンをわずかにタッチし、次に、タッチスクリーンから直ちに離すことであり得る。前述の列挙されたジェスチャに加え、第１のタッチイベントは、代替的に、別のタイプのジェスチャであり得ることが理解され得る。本願の実施形態における第１のタッチイベントに対して、限定は課されない。
【０１７８】
例えば、前述の実施形態における第２のタッチイベント（例えば、ジェスチャ４０４、６０７、６１１および６１２）は、異なるタイプのスライドジェスチャであり得る。例えば、第２のタッチイベントは、ユーザの１本の指を用いてタッチスクリーンにわずかにタッチして迅速にスライドし、次に、タッチスクリーンから迅速に離すことであり得るか、代替的に、ユーザの１本の指を用いてタッチスクリーンにわずかにタッチし、次に、接触を維持しながら動くことであり得るか、代替的に、ユーザの複数の指を用いてタッチスクリーンをタッチし、次に、接触を維持しながら動くことであり得るか、代替的に、ユーザの１本の指を用いてタッチスクリーンにわずかにタッチし、次に、タッチスクリーンとの接触を維持しながら徐々に動くことであり得るか、または、代替的に、ユーザの２本の指（通常は、親指および人差し指）がタッチスクリーン上で実行することであり得る。列挙されたジェスチャに加え、第２のタッチイベントは、代替的に、別のタイプのジェスチャであり得ることが理解され得る。本願の実施形態における第２のタッチイベントのタイプに対して、限定は課されない。
【０１７９】
本願の他の実施形態において、前述の実施形態における第１のタッチイベントおよび第２のタッチイベントは、代替的に、１つのジェスチャを用いて実装され得ることが理解され得る。すなわち、当該ジェスチャ（第１のタッチイベントおよび第２のタッチイベント）は、ユーザの指を用いてタッチスクリーンをわずかにタッチするかまたは押し、タッチスクリーンとの接触を維持しながら、タッチスクリーン上のわずかにタッチしたかまたは押した位置から別の位置へと徐々にまたは迅速に動くことであり得るか、代替的に、ユーザの指を用いてタッチスクリーンをわずかにタッチするかまたは押し、予め定められた時間（例えば、２秒）だけ静止状態を保ち、次に、タッチスクリーンとの接触を維持しながら、タッチスクリーンをわずかにタッチしたかまたは押した位置から別の位置へと徐々にまたは迅速に動くことであり得るか、代替的に、ユーザの指を用いてタッチスクリーンをわずかにタッチするかまたは押し、次に、タッチスクリーンをわずかにタッチしたかまたは押した位置から別の位置へと徐々にまたは迅速に動くことであり得るか、または、代替的に、ユーザの指を用いてタッチスクリーンをわずかにタッチするかまたは押し、予め定められた時間だけ静止状態を保ち、次に、タッチスクリーンをわずかにタッチしたかまたは押した位置から別の位置へと徐々にまたは迅速に動くことであり得る。列挙されたジェスチャに加え、当該ジェスチャは、代替的に、別のタイプのジェスチャであり得ることが理解され得る。本願の実施形態におけるジェスチャのタイプに対して、限定は課されない。
【０１８０】
文脈に従って、例えば、前述の実施形態において用いられる「場合（ｗｈｅｎ）」という用語は、「場合（ｉｆ）」もしくは「後」または「判断に応答して」もしくは「検出に応答して」という意味と解釈され得る。同様に、文脈に応じて、「判断した場合（ｗｈｅｎ  ｄｅｔｅｒｍｉｎｉｎｇ）」または「（記載された条件またはイベントを）検出した場合（ｉｆ  ｄｅｔｅｃｔｉｎｇ  （ａ  ｓｔａｔｅｄ  ｃｏｎｄｉｔｉｏｎ  ｏｒ  ｅｖｅｎｔ）」という語句は、「判断した場合（ｉｆ  ｄｅｔｅｒｍｉｎｉｎｇ）」、「に応答して判断した（ｉｎ  ｒｅｓｐｏｎｓｅ  ｔｏ  ｄｅｔｅｒｍｉｎｉｎｇ）」、「（記載された条件またはイベントを）検出した場合（ｗｈｅｎ  ｄｅｔｅｃｔｉｎｇ  （ｔｈｅ  ｓｔａｔｅｄ  ｃｏｎｄｉｔｉｏｎ  ｏｒ  ｅｖｅｎｔ））」または「に応答して（記載された条件またはイベントを）検出した」と説明され得る。
【０１８１】
前述の実施形態の全てまたは一部は、ソフトウェア、ハードウェア、ファームウェアまたはこれらの任意の組み合わせを用いて実装されてよい。実施形態を実装するためにソフトウェアが用いられる場合、実施形態は、コンピュータプログラム製品の形態で完全にまたは部分的に実装され得る。コンピュータプログラム製品は、１または複数のコンピュータ命令を含む。コンピュータプログラム命令がコンピュータ上でロードおよび実行された場合、本願の実施形態による手順または機能の全てまたは一部が生成される。コンピュータは、汎用コンピュータ、専用コンピュータ、コンピュータネットワークまたは別のプログラム可能な装置であってよい。コンピュータ命令は、コンピュータ可読記憶媒体に格納されても、コンピュータ可読記憶媒体から別のコンピュータ可読記憶媒体へ送信されてもよい。例えば、コンピュータ命令は、ウェブサイト、コンピュータ、サーバまたはデータセンタから、有線（例えば、同軸ケーブル、光ファイバまたはデジタル加入者線）方式または無線（例えば、赤外線、無線またはマイクロ波）方式で、別のウェブサイト、コンピュータ、サーバまたはデータセンタへ送信され得る。コンピュータ可読記憶媒体は、コンピュータがアクセス可能な任意の使用可能な媒体であっても、１または複数の使用可能な媒体を統合したサーバまたはデータセンタなどのデータストレージデバイスであってもよい。使用可能な媒体は、磁気媒体（例えば、フロッピーディスク、ハードディスクまたは磁気テープ）、光媒体（例えば、ＤＶＤ）、半導体媒体（例えば、ソリッドステートドライブ）等であり得る。
【０１８２】
説明を目的として、前述の説明は、特定の実施形態を参照して提供されている。しかしながら、前述の例示的な議論は、詳述を意図しておらず、開示された正確な形態に本願を限定することを意図していない。前述の教示内容に基づいて、多くの修正形態および変形形態が可能である。実施形態が、本願の原理および当該原理の実際の適用を十分に示すために選択され説明されていることにより、当業者は、本願と、考えられる具体的な利用に適用可能な様々な修正がなされた様々な実施形態とを十分に活用し得る。
【図１】
0006905083.tif 000002
【図２Ａ】
0006905083.tif 000003
【図２Ｂ】
0006905083.tif 000004
【図２Ｃ】
0006905083.tif 000005
【図３Ａ】
0006905083.tif 000006
【図３Ｂ】
0006905083.tif 000007
【図４Ａ】
0006905083.tif 000008
【図４Ｂ】
0006905083.tif 000009
【図４Ｃ】
0006905083.tif 000010
【図４Ｄ】
0006905083.tif 000011
【図４Ｅ】
0006905083.tif 000012
【図４Ｆ】
0006905083.tif 000013
【図４Ｇ】
0006905083.tif 000014
【図４Ｈ】
0006905083.tif 000015
【図４Ｉ】
0006905083.tif 000016
【図４Ｊ】
0006905083.tif 000017
【図４Ｋ】
0006905083.tif 000018
【図５Ａ】
0006905083.tif 000019
【図５Ｂ】
0006905083.tif 000020
【図５Ｃ】
0006905083.tif 000021
【図５Ｄ】
0006905083.tif 000022
【図５Ｅ】
0006905083.tif 000023
【図５Ｆ】
0006905083.tif 000024
【図５Ｇ】
0006905083.tif 000025
【図６Ａ】
0006905083.tif 000026
【図６Ｂ】
0006905083.tif 000027
【図６Ｃ】
0006905083.tif 000028
【図６Ｄ】
0006905083.tif 000029
【図６Ｅ】
0006905083.tif 000030
【図６Ｆ】
0006905083.tif 000031
【図７Ａ】
0006905083.tif 000032
【図７Ｂ】
0006905083.tif 000033
【図８】
0006905083.tif 000034
【図９】
0006905083.tif 000035
【図１０Ａ】
0006905083.tif 000036
【図１０Ｂ】
0006905083.tif 000037
【図１０Ｃ】
0006905083.tif 000038
【図１０Ｄ】
0006905083.tif 000039
【図１１Ａ】
0006905083.tif 000040
【図１１Ｂ】
0006905083.tif 000041
【図１１Ｃ】
0006905083.tif 000042
【図１１Ｄ】
0006905083.tif 000043
【図１１Ｅ】
0006905083.tif 000044
【図１１Ｆ】
0006905083.tif 000045
【図１２】
0006905083.tif 000046
【図１３】
0006905083.tif 000047
【図１４】
0006905083.tif 000048
【図１５】
0006905083.tif 000049
【図１６Ａ】
0006905083.tif 000050
【図１６Ｂ】
0006905083.tif 000051
【図１６Ｃ】
0006905083.tif 000052